(57)【要約】【課題】設計自由度が高い電子機器を提供する。【解決手段】一つの実施の形態に係る電子機器は、筐体と、基板と、第１の部材と、第２の部材と、電子部品とを具備する。前記筐体は、開口部が設けられた壁部を有する。前記基板は、前記筐体に収容される。前記第１の部材は、少なくとも一部が前記壁部と前記基板との間に位置する。前記第２の部材は、前記開口部を覆うとともに前記第１の部材によって前記壁部に押圧され、少なくとも一部が変位可能である。前記電子部品は、前記基板に実装され、変位した前記第２の部材の一部によって押される。【選択図】    図２
2013187129.tif 000002
【特許請求の範囲】
【請求項１】
底壁と、少なくとも一部が前記底壁と交差する方向に延びるとともに開口部が設けられた側壁と、を有した筐体と、
前記筐体の内部で前記底壁の少なくとも一部に面して配置された基板と、
少なくとも一部が前記側壁と前記基板との間に位置し、前記側壁に面するとともに挿通部が設けられた支持部材と、
前記開口部を覆うように前記側壁に接して前記側壁と前記支持部材との間に介在した接触部と、前記挿通部で弾性的に変位可能な変位部と、を有し、前記開口部を塞いだ浸水抑制部材と、
前記開口部に挿通されて前記変位部に接した操作部と、
前記筐体に設けられ、前記浸水抑制部材を前記側壁に押圧するように前記支持部材を固定した固定部と、
前記筐体に設けられ、前記支持部材が前記側壁と交差する方向に移動可能に前記支持部材に係った係部と、
前記基板に実装され、前記変位部に面するとともに弾性変形した前記変位部からの押圧を受けて操作される電子部品と、
を具備した電子機器。
【請求項２】
開口部が設けられた壁部を有した筐体と、
前記筐体に収容された基板と、
少なくとも一部が前記壁部と前記基板との間に位置し、前記壁部に面した第１の部材と、
前記開口部を覆うように前記壁部に接して前記壁部と前記第１の部材との間に介在し、前記開口部を塞ぐとともに少なくとも一部が弾性的に変位可能な第２の部材と、
前記筐体に設けられ、前記第２の部材を前記壁部に押圧するように前記第１の部材を固定した固定部と、
前記基板に実装され、弾性変形した前記第２の部材の一部からの押圧を受けて操作される電子部品と、
を具備した電子機器。
【請求項３】
前記基板が前記壁部と交差するように配置された請求項２に記載の電子機器。
【請求項４】
前記開口部に挿通されて弾性的に変位可能な前記第２の部材の一部に面した第３の部材をさらに具備した請求項２または３に記載の電子機器。
【請求項５】
前記第１の部材に、弾性的に変位可能な前記第２の部材の一部が入る挿通部が設けられ、
前記電子部品は、弾性的に変位可能な前記第２の部材の一部に面する請求項２または４に記載の電子機器。
【請求項６】
前記固定部は、前記壁部から突出した基部と、前記基部から前記壁部に沿う方向に延びた爪部とをそれぞれ有した一対の嵌合部を有し、
前記第１の部材および前記第２の部材は、前記壁部と前記爪部との間に挟まれた請求項２または５の電子機器。
【請求項７】
前記筐体に設けられ、前記第１の部材が前記壁部と交差する方向に移動可能に前記第１の部材と係合した係合部をさらに具備した請求項２または６に記載の電子機器。
【請求項８】
前記第１の部材が、前記第２の部材に接する第１の部分と、前記第１の部分と交差するとともに前記係合部に係合される第２の部分と、を有した請求項７に記載の電子機器。
【請求項９】
前記係合部は、前記筐体から突出した突出部を有し、
前記第１の部材は、前記第２の部分に前記突出部が挿通される孔が設けられ、該孔に挿通された突出部を軸に回動可能である請求項８に記載の電子機器。
【請求項１０】
前記壁部に設けられた他の開口部を覆うように前記壁部に接して前記壁部と前記第１の部材との間に介在し、前記他の開口部を水密に塞ぐとともに少なくとも一部が弾性的に変位可能な第４の部材と、
前記基板に実装され、弾性変形した前記第４の部材の一部によって操作される他の電子部品と、
をさらに具備し、
前記固定部は、前記第２の部材と前記第４の部材とを前記壁部に押圧するように前記第１の部材を固定する請求項２または９に記載の電子機器。
【請求項１１】
前記筐体は前記基板の少なくとも一部が面する底壁を有し、
前記壁部は前記底壁と交差するように設けられた請求項２または１０に記載の電子機器。
【請求項１２】
開口部が設けられた壁部を有した筐体と、
前記筐体に収容された基板と、
少なくとも一部が前記壁部と前記基板との間に位置した第１の部材と、
前記開口部を覆うとともに前記第１の部材によって前記壁部に押圧され、少なくとも一部が変位可能な第２の部材と、
前記基板に実装され、変位した前記第２の部材の一部によって押される電子部品と、
を具備した電子機器。
【発明の詳細な説明】
【技術分野】
【０００１】
本発明の実施形態は、電子機器に関する。
【背景技術】
【０００２】
テレビ受像機のような電子機器は、例えばボタンのような操作部を有する。ボタンは筐体に設けられた開口部から露出しており、該開口部の周辺に浸水抑制のための構造が設けられることがある。
【先行技術文献】
【特許文献】
【０００３】
【特許文献１】特開２００９−２８９６３９号公報
【発明の概要】
【発明が解決しようとする課題】
【０００４】
上記のような電子機器には、いまだ改良の余地がある。
【０００５】
本発明の目的は、設計自由度が高い電子機器を提供することにある。
【課題を解決するための手段】
【０００６】
一つの実施の形態に係る電子機器は、筐体と、基板と、第１の部材と、第２の部材と、電子部品とを具備する。前記筐体は、開口部が設けられた壁部を有する。前記基板は、前記筐体に収容される。前記第１の部材は、少なくとも一部が前記壁部と前記基板との間に位置する。前記第２の部材は、前記開口部を覆うとともに前記第１の部材によって前記壁部に押圧され、少なくとも一部が変位可能である。前記電子部品は、前記基板に実装され、変位した前記第２の部材の一部によって押される。
【図面の簡単な説明】
【０００７】
【図１】第１の実施の形態に係るテレビ受像機を示す斜視図。
【図２】第１の実施形態のテレビ本体の一部を図１のＦ２−Ｆ２線に沿って示す断面図。
【図３】第１の実施形態のテレビ本体の側壁周辺を示す平面図。
【図４】第１の実施形態の側壁の周辺を筐体の内部から示す斜視図。
【図５】第１の実施形態の支持部材の取付方法を示す斜視図。
【図６】第２の実施の形態に係る支持部材の取付方法を示す斜視図。
【図７】第３の実施の形態に係る支持部材の取付方法を示す断面図。
【図８】第４の実施の形態に係る支持部材の取付方法を示す断面図。
【図９】第５の実施の形態に係るスレートコンピュータを分解して示す斜視図。
【図１０】第５の実施形態のスレートコンピュータの一部を図９の反対側から示す斜視図。
【図１１】第６実施形態に係るテレビジョン受像機を示す正面図。
【図１２】図１１中に示された表示ユニットを示す斜視図。
【図１３】図１１中に示された表示ユニットを分解して示す斜視図。
【図１４】図１３中に示されたシーリング部材を示す斜視図。
【図１５】図１１中に示された表示ユニットの断面図。
【図１６】図１１中に示された表示ユニットの断面図。
【図１７】図１３中に示されたベースの内面を示す平面図。
【図１８】図１７中に示されたベースの内面の一部を拡大して示す平面図。
【図１９】図１３中に示されたマスクの内面を示す斜視図。
【図２０】図１９中に示されたマスクの内面の一部を拡大して示す斜視図。
【図２１】図１１中に示された表示ユニットを分解して示す斜視図。
【図２２】図２１中に示されたスピーカモジュールの取付構造を示す斜視図。
【図２３】図２１中に示されたスピーカモジュールの取付構造を示す断面図。
【図２４】図２１中に示されたスピーカモジュールの取付構造を示す平面図。
【図２５】図２１中に示されたスピーカモジュールの第１位置を示す斜視図。
【図２６】図２１中に示されたスピーカモジュールの第２位置を示す斜視図。
【図２７】図２１中に示されたスピーカモジュールを示す斜視図。
【図２８】図２１中に示されたスピーカモジュールの取付方法の流れを示す図。
【図２９】第６実施形態に関連した取付構造を示す断面図。
【図３０】第６実施形態の構造が適用可能な電子機器を示す斜視図。
【図３１】第７実施形態に係るスピーカモジュールの第１位置を示す断面図。
【図３２】第７実施形態に係るスピーカモジュールの第２位置を示す断面図。
【図３３】第８実施形態に係るスピーカモジュールの第１位置を示す断面図。
【図３４】第８実施形態に係るスピーカモジュールの第２位置を示す断面図。
【図３５】第９実施形態に係るスピーカモジュールの取付構造を示す断面図。
【図３６】第１０実施形態に係る押圧部品の取付構造を示す断面図。
【発明を実施するための形態】
【０００８】
以下に、第１の実施の形態について、図１から図５を参照して説明する。なお、本明細書において、手前側（即ちユーザ側）を前方向、ユーザから見て遠い側を後方向、ユーザから見て左側を左方向、ユーザから見て右側を右方向、ユーザから見て上方を上方向、ユーザから見て下方を下方向と定義する。さらに、複数の表現が可能な各要素について一つ以上の他の表現の例を付すことがあるが、これは他の表現が付されていない要素について異なる表現がされることを否定するものではないし、例示されていない他の表現がされることを制限するものでもない。
【０００９】
図１は、テレビ受像機（以下、「テレビ」と称する）１０を示す斜視図である。テレビ１０は、電子機器の一例である。図１に示すように、テレビ１０は、テレビ本体（テレビ、テレビ受像機、本体、表示装置）１２と、スタンド１３とを備えている。スタンド１３は、テレビ本体１２に回動可能に連結されている。スタンド１３は、テレビ台のような載置面（外部面、平面、面）に載置され、テレビ本体１２を支持している。
【００１０】
テレビ本体１２は、筐体（キャビネット、外装部、壁）１５と、ディスプレイモジュール（表示装置、表示部、電子部品、部品）１６とを備えている。ディスプレイモジュール１６は、例えば液晶ディスプレイである。なお、ディスプレイモジュール１６はこれに限らず、プラズマディスプレイや有機ＥＬディスプレイであっても良い。ディスプレイモジュール１６は、筐体１５に収容されている。
【００１１】
筐体１５は、前面２１と、側面（外面、表面、側壁、壁部、壁）２２を有している。該側面２２は、ユーザから見て右側に位置する。前面２１に、矩形状のディスプレイ開口２６が設けられている。ディスプレイ開口２６は、画像が表示されるディスプレイモジュール１６の表示面を露出させる。
【００１２】
側面２２は、前面２１と交差するように設けられている。側面２２の一部は、前面２１から後方に向かうに従ってテレビ本体１２の中央部に近づくように傾斜している。側面２２には、インターフェース部２７が設けられている。インターフェース部２７は、側面２２から突出するように形成され、前面２１と略直交する側壁（外面、表面、壁部、壁）２８を有している。側壁２８は、壁部の一例である。
【００１３】
側壁２８には、例えば電源ボタン、チャンネル切り替えボタン、音量調節ボタンのような、複数のボタン（スイッチ、部品、部材、入力部）３１と、カード開口３２と、複数の端子開口３３とが設けられている。ボタン３１は、操作部および第３の部材の一例である。カード開口３２は、例えばＢ−ＣＡＳカードのようなカードが挿入される開口部である。端子開口３３は、例えばＵＳＢ端子や、ＨＤＭＩ端子が挿入される開口部である。
【００１４】
筐体１５は、前面２１の反対側に位置する後面や、前面２１と交差するように設けられた下面をさらに有する。前記後面には、例えば複数の通気口が設けられるとともに、スタンド１３が固定されている。前記下面には、例えば音声を流すための複数のスピーカー開口が設けられている。
【００１５】
図２は、図１のＦ２−Ｆ２線に沿ってテレビ本体１２の一部を示す断面図である。図２に示すように、筐体１５は、フロントカバー３５と、リアカバー３６とを有している。フロントカバー３５およびリアカバー３６は、例えば樹脂によってそれぞれ形成されている。フロントカバー３５は、筐体１５の前面２１を形成している。リアカバー３６は、筐体１５の側面２２、前記後面、および前記下面をそれぞれ形成している。
【００１６】
筐体１５の前面２１に、透光性のパネル３７が取り付けられている。ディスプレイ開口２６は、パネル３７によって覆われている。ディスプレイモジュール１６は、パネル３７越しに外部に露出される。
【００１７】
筐体１５の内部に、メイン基板３８と、モジュール基板（回路板、配線板、部品、ユニット）３９とが収容されている。モジュール基板３９は、基板の一例である。
【００１８】
メイン基板３８は、例えば矩形状に形成されたプリント配線板である。メイン基板３８に、画像を処理するためのＬＳＩのような複数の電子部品が実装されている。メイン基板３８は、例えばスペーサを介して、ディスプレイモジュール１６に取り付けられている。
【００１９】
モジュール基板３９は、例えばプリント配線板である。モジュール基板３９は、側壁２８と略直交するとともに前面２１に面するように配置されている。モジュール基板３９は、メイン基板３８よりも小さい矩形状に形成されている。モジュール基板３９は、メイン基板３８よりも側壁２８に近い。モジュール基板３９は、例えばケーブルによってメイン基板３８に接続されている。
【００２０】
図３は、側壁２８の周辺を示す平面図である。図３に二点鎖線で示すように、モジュール基板３９に、例えば複数のスイッチ（部品）４１Ａ，４１Ｂ、カードスロット、および複数のコネクタがそれぞれ実装されている。スイッチ４１Ａは、電子部品の一例である。二つのスイッチ４１Ｂは、他の電子部品の一例である。
【００２１】
前記カードスロットは、カード開口３２を介して外部に開口しており、例えばＢ−ＣＡＳカードのようなカードが挿入される。前記コネクタは、端子開口３３を介して外部に開口しており、例えばＵＳＢ端子やＨＤＭＩ端子が挿入される。
【００２２】
複数のスイッチ４１Ａ，４１Ｂは、複数のボタン３１にそれぞれ対応して並んで配置されている。図２に示すように、スイッチ４１Ａ，４１Ｂは、部品本体（筐体、ケース、固定された部分）４２と、押込部（端部、被操作部、感圧部、部分）４３とをそれぞれ有している。部品本体４２は、例えば半田付けによってモジュール基板３９に固定されている。部品本体４２に、側壁２８に向いて設けられた開口が設けられている。
【００２３】
押込部４３は、部品本体４２の前記開口から側壁２８に向かって突出している。押込部４３は、外部から押圧を受けると部品本体４２の内部に向かって弾性的に移動する。押込部４３の一部が部品本体４２の内部に押し込まれることで、スイッチ４１Ａ，４１Ｂは操作される。言い換えると、スイッチ４１Ａ，４１Ｂは、押込部４３に押圧を受けて操作される。押込部４３に作用する押圧力が解放されると、押込部４３は弾性的に所定の位置に戻る。
【００２４】
インターフェース部２７は、側壁２８と、この側壁２８と略直交する方向に延びた底壁（壁部、壁、底面、固定面、取付面）４６とを有している。底壁４６は、フロントカバー３５に対向している。底壁４６は、モジュール基板３９の少なくとも一部に面して配置されている。
【００２５】
側壁２８に、複数の開口部（開口、孔、穴、挿通部、露出部）４７Ａ，４７Ｂが設けられている。開口部４７Ｂは、他の開口部の一例である。開口部４７Ａ，４７Ｂは、複数のボタン３１の形状にそれぞれ対応して形成されている。例えば、電源ボタンであるボタン３１に対応する開口部４７Ａは略正方形状に形成され、チャンネル切り替えボタンまたは音量調節ボタンであるボタン３１に対応する開口部４７Ｂは略矩形状に形成される。開口部４７Ａ，４７Ｂに、対応するボタン３１がそれぞれ挿通され、筐体１５の外部に露出している。
【００２６】
ボタン３１は、露出部（操作部、挿通部、部分）５１と、フランジ部（係合部、係止部）５２と、突部（押圧部、突出部、嵌入部、操作部、部分）５３とをそれぞれ有している。露出部５１は、対応する開口部４７Ａ，４７Ｂに挿通され、筐体１５の外部に露出されている。フランジ部５２は、筐体１５の内部に位置する露出部５１の端部に設けられ、筐体１５の内部から側壁２８に面している。フランジ部５２は、筐体１５の内側から側壁２８に係止される。突部５３は、露出部５１から筐体１５の内部に向かって突出している。突部５３の先端は、対応するスイッチ４１Ａ，４１Ｂの押込部４３の先端に面している。突部５３の先端は、フランジ部５２よりも側壁２８から離れている。
【００２７】
複数のボタン３１に対応して、筐体の内部に複数のキーパッド（パッキン、閉塞部材、部材）５６Ａ，５６Ｂがそれぞれ配置されている。キーパッド５６Ａは、浸水抑制部材および第２の部材の一例である。キーパッド５６Ｂは、第４の部材の一例である。キーパッド５６Ａ，５６Ｂは、例えば弾性を有するシリコンゴムによって形成される。なお、キーパッド５６Ａ，５６Ｂはこれに限らず、エラストナーや、他の合成ゴムによって形成されても良い。キーパッド５６Ａ，５６Ｂは、互いに一体に形成された接触部５７および変位部５８をそれぞれ有している。
【００２８】
接触部５７は、ボタン３１のフランジ部５２の縁部を囲むとともに、フランジ部５２が設けられた露出部５１の端部を覆うように形成される。接触部５７は、対応する開口部４７Ａ，４７Ｂの周囲で側壁２８に水密に当接する。なお、接触部５７はこれに限らず、例えば水密より弱く側壁２８に接しても良い。接触部５７は、ボタン３１が挿通された開口部４７Ａ，４７Ｂをそれぞれ覆う。これにより、図３に示すように、キーパッド５６Ａが開口部４７Ａを塞ぎ、キーパッド５６Ｂが開口部４７Ｂを塞ぐ。なお、接触部５７は、複数の開口部４７Ａ，４７Ｂを覆っても良い。
【００２９】
図２に示すように、露出部５１の端部を覆う接触部５７の一部５７ａは、フランジ部５２の縁部を囲む接触部５７の他の一部５７ｂよりも薄く形成されている。すなわち、露出部５１の端部を覆う一部５７ａは、フランジ部５２の縁部を囲む一部５７ｂよりも変形しやすい。
【００３０】
変位部５８は、接触部５７の一部５７ａに囲まれて設けられている。変位部５８は、接触部５７の一部５７ａから、筐体１５の内部に向かって突出している。変位部５８に、ボタン３１に向いた凹部５８ａが設けられている。凹部５８ａに、ボタン３１の突部５３の一部が嵌っている。なお、ボタン３１の突部５３は、凹部５８ａの側面と接触して凹部５８ａに嵌り込んでいても良いし、凹部５８ａの側面との間に隙間を介して凹部５８ａの中に収まっていても良い。
【００３１】
変位部５８は、接触部５７の一部５７ａよりも厚く形成されている。変位部５８がボタン３１の突部５３に押されると、変位部５８は弾性的に変位する。すなわち、変位部５８が突部５３に押されることで、変位部５８を囲む接触部５７の一部５７ａが弾性的に変形する。これにより、変位部５８が突部５３に押された方向に変位する。このように、変位部５８は、変位可能な第２の部材の一部の一例である。
【００３２】
変位部５８は、ボタン３１の突部５３と、対応するスイッチ４１Ａ，４１Ｂの押込部４３との間に位置している。言い換えると、ボタン３１の突部５３は、変位部５８に接し（面し）ている。このため、ボタン３１が例えばユーザに押されると、突部５３が変位部５８を変位させ、変位部５８が押込部４３を押す。すなわち、ボタン３１が押されると、変位した変位部５８からの押圧を受けてスイッチ４１Ａ，４１Ｂが操作される。
【００３３】
図４は、筐体１５の内部から側壁２８の周辺を示す斜視図である。図４に示すように、筐体１５の内部に支持部材（支持部、当接部、押圧部、部品、部材、部分）６１が配置されている。支持部材６１は、第１の部材の一例である。支持部材６１は、例えばＬ字状に曲げられた金属板によって形成されている。支持部材６１は、それぞれ矩形状に形成された押圧部（支持部、当接部、壁部、部分）６２および取付部（固定部、部分）６３を有している。押圧部６２は、第１の部分の一例である。取付部６３は、第２の部分の一例である。
【００３４】
図２に示すように、押圧部６２の少なくとも一部は、側壁２８とモジュール基板３９との間に位置し、側壁２８に面している。押圧部６２は、複数のキーパッド５６Ａ，５６Ｂに接し（面し）、接触部５７の一部５７ｂに当接している。このため、図３に示すように、キーパッド５６Ａ，５６Ｂの接触部５７は、側壁２８と押圧部６２との間に介在する。言い換えると、押圧部６２は、キーパッド５６Ａ，５６Ｂの接触部５７よりもモジュール基板３９に近い。
【００３５】
図２に示すように、押圧部６２に、複数のキーパッド５６Ａ，５６Ｂの変位部５８がそれぞれ挿入された複数の挿通口（開口、穴、切欠き、凹部）６５が設けられている。挿通口６５は、挿通部の一例である。図４に示すように、複数の挿通口６５は、押圧部６２の長手方向に並んでいる。それぞれの挿通口６５は、変位部５８に対応する部分から取付部６３に向かって延びている。変位部５８は、挿通された挿通口６５の中で変位できる。
【００３６】
取付部６３は、押圧部６２と略直交しており、側壁２８から離れる方向に延びている。取付部６３は、底壁４６に接している。取付部６３に、複数の切欠き部６６が設けられている。切欠き部６６は、それぞれ挿通口６５に連続している。図２に示すように、側壁２８に面する切欠き部６６の縁部６６ａは、キーパッド５６の変位部５８の先端よりも側壁２８から離れている。
【００３７】
図４に示すように、取付部６３から、延出部６８が延びている。延出部６８は、取付部６３の長手方向の一方の端部から、取付部６３の長手方向に延びている。延出部６８に、円形状の軸孔（係合孔、開口、凹部）７１が設けられている。軸孔７１は、孔の一例である。図３に示すように、軸孔７１は、延出部６８に近い押圧部６２の一方の端部６２ａよりも、取付部６３の中央部から離れている。
【００３８】
取付部６３に、複数の固定孔７２が設けられている。複数の固定孔７２は、取付部６３の長手方向に並んで配置されている。固定孔７２は、例えば押圧部６２に向かって延びる長円状にそれぞれ形成されている。なお、図４に示すように、固定孔７２は、切欠き部６６に連続しても良く、また切欠きであっても良い。延出部６８に最も近い固定孔７２は、延出部６８から最も遠い固定孔７２よりも短い長円状に形成される。
【００３９】
底壁４６に、係合部（引掛け部、仮留部、ガイド部）７４が設けられている。係合部７４は、係部の一例である。係合部７４は、複数の突出部（ピン、凸部、挿通部）７６，７７を有している。突出部７６，７７は、底壁４６からそれぞれ突出している。一つの突出部７６は、軸孔７１に挿通されている。複数の突出部７７は、複数の固定孔７２に挿通されている。言い換えると、突出部７６，７７は、軸孔７１および固定孔７２に係合されて（係って）いる。
【００４０】
軸孔７１および固定孔７２に挿通された突出部７６，７７は、取付部６３に溶着される。これにより、取付部６３は、底壁４６に固定される。なお、取付部６３はこれに限らず、例えばネジによって底壁４６に固定されても良い。
【００４１】
図４に示すように、側壁２８に、固定部（取付部、押圧部、部分）８１が設けられている。固定部８１は、第１の嵌合部８２と、第２の嵌合部８３とを有している。第１および第２の嵌合部８２，８３は、一対の嵌合部の一例である。
【００４２】
図３に示すように、第１の嵌合部８２は、基部８５と、爪部８６とを有している。基部８５は、側壁２８から筐体１５の内部に向かって突出している。基部８５は、押圧部６２の一方の端部６２ａに接している。爪部８６は、基部８５の先端から、側壁２８に沿って第２の嵌合部８３に向かって延びている。キーパッド５６Ａの接触部５７および支持部材６１の押圧部６２は、側壁２８と爪部８６との間に挟まれる。
【００４３】
第２の嵌合部７８は、基部８７と、爪部８８とを有している。基部８７は、側壁２８から筐体１５の内部に向かって突出している。基部８７は、押圧部６２の他方の端部６２ｂに接している。基部８７は、弾性変形可能に形成されている。爪部８８は、基部８７の先端から、側壁２８に沿って第１の嵌合部８２に向かって延びている。キーパッド５６Ｂの接触部５７および支持部材６１の押圧部６２は、側壁２８と爪部８８との間に挟まれる。
【００４４】
押圧部６２は、第１および第２の嵌合部８２，８３の間に挟まれている。キーパッド５６Ａ，５６Ｂの接触部５７および支持部材６１の押圧部６２が側壁２８と爪部８６，８８との間に挟まれる。これにより、固定部８１が支持部材６１を固定し、押圧部６２がキーパッド５６Ａ，５６Ｂの接触部５７を側壁２８に押圧する。
【００４５】
以下に、図５を参照して、支持部材６１の取付方法の一例について説明する。なお、支持部材６１の取付方法は以下の方法に限らない。図５は、支持部材６１の取付方法を示す斜視図である。
【００４６】
まず、ボタン３１に、対応するキーパッド５６Ａ，５６Ｂをそれぞれ取り付ける。すなわち、ボタン３１の突部５３を変位部５８の凹部５８ａに挿入し、フランジ部５２の縁部を接触部５７の一部５７ｂで囲む。
【００４７】
次に、筐体１５の内側から、開口部４７Ａ，４７Ｂにボタン３１をそれぞれ取り付ける。ボタン３１の露出部５１を開口部４７Ａ，４７Ｂに挿通すると、フランジ部５２が側壁２８に当接する。ボタン３１に取り付けられたキーパッド５６Ａ，５６Ｂの接触部５７が、側壁２８に接する。
【００４８】
キーパッド５６Ａの接触部５７は、側壁２８と、第１の嵌合部８２の爪部８６との間に位置する。キーパッド５６Ｂの接触部５７は、側壁２８と、第２の嵌合部８３の爪部８８との間に位置する。これにより、キーパッド５６Ａ，５６Ｂは爪部８６，８８によって仮留めされる。
【００４９】
次に、支持部材６１を筐体１５に取り付ける。図５に矢印Ｄで示すように、支持部材６１を底壁４６に対して略垂直に移動させる。言い換えると、リアカバー３６が開口する方向から、支持部材６１を底壁４６に近づける。これにより、支持部材６１の軸孔７１および固定孔７２に、突出部７６，７７が挿入され、取付部６３が底壁４６に当接する。このとき、押圧部６２の一方の端部６２ａは第１の嵌合部８２に係合される。すなわち、押圧部６２の一方の端部６２ａが側壁２８と爪部８６との間に挿入される。
【００５０】
一方、押圧部６２の他方の端部６２ｂは第２の嵌合部８３から外れている。言い換えると、支持部材６１は、側壁２８に対して傾斜した状態で底壁４６に近づけられる。このため、押圧部６２とキーパッド５６Ａ，５６Ｂとの間に隙間が生じている。
【００５１】
取付部６３に、挿通口６５に連続する切欠き部６６が設けられているため、移動する支持部材６１は、キーパッド５６Ａ，５６Ｂの変位部５８を避ける。このため、支持部材６１を底壁４６に向かって容易に近づけることができる。
【００５２】
次に、図５の矢印Ｔ１で示すように、軸孔７１に挿通された突出部７６を軸として、側壁２８に向かって支持部材６１を回動させる。突出部７７が挿通された固定孔７２が、押圧部６２に向かって延びる長円状に形成されるため、支持部材６１は回動可能である。支持部材６１が回動する方向は、側壁２８と交差する方向である。すなわち、係合部７４は、支持部材６１が側壁２８と交差する方向に回動可能に支持部材６１と係合する。
【００５３】
支持部材６１が回動すると、押圧部６２の端部６２ｂが第２の嵌合部８３を乗り越える。例えば、押圧部６２の端部６２ｂが第２の嵌合部８３を押圧することで、第２の嵌合部８３の基部８７が弾性変形する。基部８７が弾性変形した第２の嵌合部８３が押圧部６２を避けることで、回動する押圧部６２の端部６２ｂがキーパッド５６Ｂに当接する。これにより、押圧部６２の端部６２ｂがキーパッド５６Ｂの接触部５７と第２の嵌合部８３の爪部８８とに挟まれる。
【００５４】
上記のように押圧部６２の端部６２ｂが第２の嵌合部８３に嵌合することで、押圧部６２が固定部８１に固定される。これにより、押圧部６２がキーパッド５６Ａ，５６Ｂの接触部５７を側壁２８に押圧する。
【００５５】
次に、軸孔７１および固定孔７２にそれぞれ挿通された突出部７６，７７を、取付部６３に溶着する。これにより、取付部６３が底壁４６に固定され、支持部材６１が強固に筐体１５に固定される。
【００５６】
前記構成のテレビ１０によれば、開口部４７Ａ，４７Ｂを覆うキーパッド５６Ａ，５６Ｂが、支持部材６１によって側壁２８に向かって押圧される。これにより、筐体１５の内部に水のような液体や、砂塵が侵入することを抑制できる。
【００５７】
支持部材６１がキーパッド５６Ａ，５６Ｂを押圧するため、スイッチ４１Ａ，４１Ｂが実装されるモジュール基板３９の位置は、キーパッド５６Ａ，５６Ｂに対して自由となる。これにより、例えばモジュール基板３９のような基板によってキーパッド５６Ａ，５６Ｂを押さえたり、開口部４７Ａ，４７Ｂが設けられる位置で筐体１５を分割したりする必要がなくなる。したがって、テレビ１０の設計自由度が向上する。
【００５８】
ボタン３１がユーザに押されると、ボタン３１にかかる押圧力が支持部材６１に作用する。該押圧力が支持部材６１に受け止められるため、モジュール基板３９が外力を受けて損傷することを抑制できる。
【００５９】
モジュール基板３９は、側壁２８と交差するように配置される。言い換えると、モジュール基板３９は、底壁４６に面している。これにより、モジュール基板３９を底壁４６と略平行に筐体１５に取り付けることができ、テレビ１０の組み立てが容易になる。
【００６０】
押圧部６２に、キーパッド５６Ａ，５６Ｂの変位部５８の一部が挿通する挿通口６５が設けられている。これにより、モジュール基板３９に実装されたスイッチ４１Ａ，４１Ｂとキーパッド５６Ａ，５６Ｂの接触部５７との間に押圧部６２を介在させたとしても、変位部５８がスイッチ４１Ａ，４１Ｂを押すことができる。
【００６１】
固定部８１の第１および第２の嵌合部８２，８３は、基部８５，８７と爪部８６，８８とをそれぞれ有している。これにより、支持部材６１の固定にネジが不要となり、テレビ１０の部品点数および製造コストを低減できる。さらに、狭いスペースに支持部材６１を取り付けることができて設計自由度が向上するとともに、テレビ１０の組み立てが容易になる。
【００６２】
係合部７４は、支持部材６１が側壁２８と交差する方向に移動可能に支持部材６１と係合する。これにより、支持部材６１の取り付けが容易となる。さらに、支持部材６１を取り付ける際に、キーパッド５６Ａ，５６Ｂが座屈することを抑制できる。
【００６３】
詳しく説明すると、支持部材６１を底壁４６に対して略垂直に移動させるときに支持部材６１がキーパッド５６Ａ，５６Ｂに接触していると、キーパッド５６Ａ，５６Ｂが支持部材６１に押圧されたり、引っ張られたりする。しかし、本実施形態の支持部材６１は、押圧部６２とキーパッド５６Ａ，５６Ｂとの間に隙間が生じるように底壁４６に近づけられた後、回動して固定部８１に固定できる。このため、キーパッド５６Ａ，５６Ｂが支持部材６１に押圧されたり、引っ張られたりすることを抑制できる。したがって、キーパッド５６Ａ，５６Ｂが座屈することを抑制できる。
【００６４】
支持部材６１の延出部６８に、軸孔７１が設けられている。支持部材６１は、軸孔７１に挿通された突出部７６を軸に回動できる。これにより、支持部材６１を固定部８１に取り付ける際にぶれることを抑制できる。
【００６５】
固定部８１に固定された一つの支持部材６１が、複数のキーパッド５６Ａ，５６Ｂを側壁２８に押圧する。これにより、部品点数および工程を低減でき、製造コストを低減できる。
【００６６】
開口部４７Ａ，４７Ｂは、側壁２８に設けられている。このように、本実施形態のテレビ１０によれば、筐体１５の側壁であっても、浸水が抑制されたボタン３１を設けることができる。なお、開口部４７Ａ，４７Ｂは側壁２８に限らず、例えば底壁４６に設けられても良い。この場合、支持部材６１の押圧部６２は底壁４６に面し、取付部６３は例えば側壁２８に取り付けられる。すなわち、開口部４７Ａ，４７Ｂの配置が自由であり、テレビ１０の設計自由度が向上する。
【００６７】
ボタン３１を開口部４７Ａ，４７Ｂに取り付ける際、キーパッド５６Ａ，５６Ｂは第１および第２の嵌合部８２，８３の爪部８６，８８によって仮留めされる。これにより、テレビ１０の組み立てが容易になる。
【００６８】
次に、図６を参照して、第２の実施の形態について説明する。なお、以下に開示する実施形態において、第１の実施形態のテレビ１０と同一の機能を有する構成部分には同一の参照符号を付す。さらに、当該構成部分については、その説明を一部または全て省略することがある。
【００６９】
図６は、第２の実施の形態に係る支持部材６１の取付方法を示す斜視図である。図６に示すように、第２の実施形態の支持部材６１は、平坦な金属板によって形成されている。底壁４６に面する支持部材６１の下端部に、凹部（切欠き、溝、窪み、スリット）９１が形成されている。
【００７０】
底壁４６に、凹部９１に対応する凸部（リブ、突出部）９２が設けられている。凸部９２は、係合部の一例である。凸部９２は、底壁４６から側壁２８に亘って設けられたリブである。凸部９２は、支持部材６１が側壁２８と交差する方向に回動可能なように、支持部材６１の凹部９１に係合している。
【００７１】
支持部材６１は、例えば以下のように固定部８１に取り付けられる。まず、支持部材６１の凹部９１に凸部９２を係合させるとともに、押圧部６２の一方の端部６２ａを第１の嵌合部８２に嵌合させる。次に、第１の嵌合部８２に嵌合した押圧部６２の端部６２ａを軸に、支持部材６１を回動させる。押圧部６２の他方の端部６２ｂが第２の嵌合部８３を乗り越えて、第２の嵌合部８３の爪部８８とキーパッド５６Ｂの接触部５７との間に挟まれる。これにより、支持部材６１が固定部８１に固定される。
【００７２】
前記構成のテレビ１０によれば、平坦な板状に形成された支持部材６１によって、キーパッド５６Ａ，５６Ｂを側壁２８に押圧することができる。これにより、支持部材６１を小型化でき、テレビ１０の材料費を低減できる。さらに、筐体１５の内部の空間を広く確保することができ、設計自由度が向上する。
【００７３】
次に、図７を参照して、第３の実施の形態について説明する。図７は、第３の実施の形態に係る支持部材６１の取付方法を示す断面図である。図７に示すように、底壁４６に一対の係合部７４が設けられている。一対の係合部７４は、底壁４６から突出した基部９５と、基部９５から側壁２８に向かって延びた爪部９６とをそれぞれ有している。一対の係合部７４は、支持部材６１の取付部６３の長手方向の両端部にそれぞれ接している。言い換えると、一対の係合部７４の間に、取付部６３が挟まれている。
【００７４】
支持部材６１の取付部６３は、一対の軸部９７を有している。一対の軸部９７は、例えば押圧部６２から離れた取付部６３の端部にそれぞれ設けられる。一対の軸部９７は、取付部６３の長手方向の両端部から、取付部６３の長手方向にそれぞれ延びている。軸部９７は、係合部７４に係合している。
【００７５】
本実施形態において、第１および第２の嵌合部の基部８５，８７は、ともに弾性変形可能に形成されている。すなわち、支持部材６１の押圧部６２は、第１の嵌合部８２を乗り越えることができるとともに、第２の嵌合部８３を乗り越えることもできる。
【００７６】
支持部材６１は、例えば以下のように固定部８１に取り付けられる。まず、取付部６３の軸部９７を、係合部７４に係合させる。次に、図７の矢印Ｔ２に示すように、軸部９７を軸として支持部材６１を回動させる。支持部材６１の押圧部６２の両端部６２ａ，６２ｂが、第１および第２の嵌合部８２，８３をそれぞれ乗り越える。これにより、第１の嵌合部８２の爪部８６とキーパッド５６Ａの接触部５７との間に、押圧部６２の一方の端部６２ａが挟まれる。また、第２の嵌合部８３の爪部８８とキーパッド５６Ｂの接触部５７との間に、押圧部６２の他方の端部６２ｂが挟まれる。したがって、支持部材６１が固定部８１に固定される。
【００７７】
前記構成のテレビ１０によれば、底壁４６に設けられた係合部７４に係合する取付部６３の軸部９７を軸として、支持部材６１が回動する。これにより、支持部材６１とキーパッド５６Ａ，５６Ｂとが離れた状態で、支持部材６１を係合部７４に係合させることができる。したがって、支持部材６１によってキーパッド５６Ａ，５６Ｂが座屈することを抑制できる。
【００７８】
次に、図８を参照して、第４の実施の形態について説明する。図８は、第４の実施の形態に係る支持部材６１の取付方法を示す断面図である。図８に示すように、底壁４６に係合部７４が設けられている。第４の実施形態の係合部７４は、複数の突出部７７を有している。第３の実施形態と同様に、本実施形態において、第１および第２の嵌合部８２，８３の基部８５，８７は、ともに弾性変形可能に形成されている。
【００７９】
支持部材６１は、例えば以下のように固定部８１に取り付けられる。まず、支持部材６１をキーパッド５６Ａ，５６Ｂから離した状態で、支持部材６１を底壁４６に対して略垂直に移動させる。これにより、支持部材６１の固定孔７２に、突出部７７が挿入され、取付部６３が底壁４６に当接する。
【００８０】
次に、図８の矢印Ｓに示すように、長円状の固定孔７２に沿って、支持部材６１を側壁２８に略直交する方向に移動させる。支持部材６１の押圧部６２の両端部６２ａ，６２ｂが、第１および第２の嵌合部８２，８３をそれぞれ乗り越える。これにより、第１の嵌合部８２の爪部８６とキーパッド５６Ａの接触部５７との間に、押圧部６２の一方の端部６２ａが挟まれる。また、第２の嵌合部８３の爪部８８とキーパッド５６Ｂの接触部５７との間に、押圧部６２の他方の端部６２ｂが挟まれる。したがって、支持部材６１が固定部８１に固定される。
【００８１】
前記構成のテレビ１０によれば、支持部材６１を側壁２８に略直交する方向に移動させることで、支持部材６１を固定部８１に固定できる。これにより、テレビ１０の構造が簡単になり、製造コストが低減する。
【００８２】
支持部材６１は、キーパッド５６Ａ，５６Ｂから離れた状態で、底壁４６に対して移動できる。これにより、支持部材６１がキーパッド５６Ａ，５６Ｂを座屈させることを抑制できる。
【００８３】
次に、図９および図１０を参照して、第５の実施の形態について説明する。図９は、第５の実施の形態に係るスレートコンピュータ（パーソナルコンピュータ、タブレットＰＣ）１０１を分解して示す斜視図である。図１０は、図９の反対側からスレートコンピュータの一部を示す斜視図である。スレートコンピュータ１０１は、電子機器の一例である。
【００８４】
図９に示すように、スレートコンピュータ１０１は、筐体１５を備えている。筐体１５は、筐体１５の前面２１を形成するフロントカバー３５と、リアカバー３６とを有している。リアカバー３６は、筐体１５の側面を形成する側壁２８と、筐体１５の背面を形成する底壁４６と、筐体１５の他方の側面を形成する他の側壁１０３とを有している。
【００８５】
図１０に示すように、側壁２８には、例えば電源ボタンおよび音量調節ボタンのような複数のボタン３１が設けられている。第１の実施形態と同様に、ボタン３１は側壁２８に設けられた開口部４７Ａ，４７Ｂに挿通されており、該開口部４７Ａ，４７Ｂはキーパッド５６Ａ，５６Ｂに塞がれている。キーパッド５６Ａ，５６Ｂは、支持部材６１の押圧部６２によって、側壁２８に押圧されている。
【００８６】
図９に示すように、他の側壁１０３は、側壁２８の反対側に位置している。他の側壁１０３に、複数の開口部１０４が設けられている。開口部１０４にそれぞれ対応して、筐体１５の内部に複数のスピーカー１０５が収容されている。スピーカー１０５は、筐体１５の内側から他の側壁１０３に当接し、対応する開口部１０４を塞いでいる。
【００８７】
前記構成のスレートコンピュータ１０１によれば、第１の実施形態と同様に、開口部４７Ａ，４７Ｂを覆うキーパッド５６Ａ，５６Ｂが、支持部材６１によって側壁２８に押圧される。これにより、筐体１５の内部に水のような液体や、砂塵が侵入することを抑制できる。
【００８８】
キーパッド５６Ａ，５６Ｂの変位部５８に押されるスイッチ４１Ａ，４１Ｂが実装されるモジュール基板３９の位置は、キーパッド５６Ａ，５６Ｂに対して自由となる。これにより、例えばモジュール基板３９のような基板によってキーパッド５６Ａ，５６Ｂを押さえたり、開口部４７Ａ，４７Ｂが設けられる位置で筐体１５を分割したりする必要がなくなる。したがって、スレートコンピュータ１０１の設計自由度が向上する。
【００８９】
上記のように、電子機器はテレビ１０やスレートコンピュータ１０１に限らず、例えば、ポータブルコンピュータ、ＰＤＡ（携帯情報端末）、携帯電話、およびスマートフォンのような他の種類の電子機器であっても良い。
【００９０】
次に、図１１ないし図２８を参照して、第６の実施の形態について説明する。図１１ないし図２８は、第６の実施形態に係るテレビジョン受像機２０１を開示している。テレビジョン受像機２０１は、「電子機器」の一例である。なお本実施形態および下記の実施形態に係る構造は、テレビジョン受像機に限らず、例えばノートブック型ポータブルコンピュータ（ノートＰＣ）やスレート型ポータブルコンピュータ（スレートＰＣ、タブレット）、携帯電話（スマートフォンを含む）、ゲーム機などを含む種々の電子機器に広く適用可能である。
【００９１】
図１１に示すように、テレビジョン受像機２０１は、表示ユニット２０２（メインユニット）と、該表示ユニット２０２を支持するスタンド２０３（支持部）とを有する。表示ユニット２０２は、筐体２０４を有する。筐体２０４には、表示装置２０５および回路基板２０６（図１３参照）が収容されている。
【００９２】
表示装置２０５は、表示画面２０７を含む第１面２０５ａ（表示面）と、該第１面２０５ａとは反対側に位置した第２面２０５ｂ（背面）とを有する。第１面２０５ａには、タッチセンサ（タッチパネル）が設けられている。タッチセンサは、入力部（入力受付部、操作部）の一例である。
【００９３】
図１１ないし図１３に示すように、筐体２０４は、第１壁２１１（後壁）と、第２壁２１２（周壁、側壁）と、第３壁２１３（前壁）とを有した扁平な箱状に形成されている。第１壁２１１は、表示装置２５および回路基板２６と略平行に延びている（略平行に広がる）。第１壁２１１は、表示装置２５の第２面２０５ｂおよび回路基板２６に面する。
【００９４】
第３壁２１３は、第１壁２１１とは反対側に位置する。第３壁２１３は、第１壁２１１と略平行に延びている（略平行に広がっている）。第３壁２１３は、表示装置２５の第１面２０５ａに面する。表示装置２５は、第１壁２１１と第３壁２１３との間に位置する。
【００９５】
第３壁２１３は、表示画面２０７が露出する開口部２１３ａが設けられている。第３壁２１３には、例えば透光性のパネル２１４が設けられている（図１５参照）。パネル２１４は、例えばガラス部材またはプラスチック部材である。パネル２１４は、第３壁２１３に支持され、開口部２１３ａを覆う。表示画面２０７は、パネル２１４を通して外部に露出されている。
【００９６】
第２壁２１２は、第１壁２１１および第３壁２１３とは交差した方向に延びている。第２壁２１２は、筐体２０４の厚さ方向に延び、第１壁２１１の端部（周端部、周縁部）と第３壁２１３の端部（周端部、周縁部）とに亘る。第２壁２１２は、例えば第１壁２１１および第３壁２１３の全周に設けられている。なお、筐体２０４の厚さ方向とは、第１壁２１１から第３壁２１３（または第３壁２１３から第１壁２１１）に向かう方向である。
【００９７】
図１３ないし図１５に示すように、第３壁２１３は、第１壁２１１よりも大きい。このため、第２壁２１２は、円弧状に形成されて第１壁２１１の端部と第３壁２１３の端部との間を繋いでいる。第２壁２１２は、筐体２０４の外側に膨らむ曲面（表面、外面）を有する。第２壁２１２は、第１壁２１１から第３壁２１３に向いて進むに従い筐体２０４の外側に広がる。
【００９８】
図１３に示すように、筐体２０４は、ベース２１５（下カバー、第１カバー、第１筐体部材、第１部材）と、マスク２１６（上カバー、第２カバー、第２筐体部材、第２部材）とを有する。ベース２１５は、第１壁２１１と第２壁２１２とを含む。マスク２１６は、第３壁２１３を含む。マスク２１６がベース２１５に取り付けられることで、筐体２０４が構成されている。
【００９９】
ベース２１５は、椀状に形成され、第１壁２１１と交差した方向（筐体２０４の厚さ方向、第１壁２１１とは反対側）に開放されている（開口されている）。第２壁２１２の内周面（後述の内面２１２ａ）は、ベース２１５の内部を外部に露出させる開口部２１５ａを規定している。
【０１００】
図１３に示すように、表示ユニット２の組立てでは、ベース２１５の第１壁２１１が外部載置面（例えば組立台）に置かれ、ベース２１５の内部に部品を取り付けられ、マスク２１６がベース２１５に取り付けられる。このため、第１壁２１１は、「下壁」または「底壁」と呼称してもよい。第３壁２１３は、「上壁」と呼称してもよい。なお以下では、説明の便宜上、第１壁２１１を底壁２１１、第２壁２１２を側壁２１２、および第３壁２１３を上壁２１３、と読み替えて説明する。
【０１０１】
本実施形態に係るテレビジョン受像機２０１は、例えば防水性を有する。このため、テレビジョン受像機２０１は、防水性を実現するために以下に示す種々の構造を有する。なおこれらの構造は、防水を目的としたものに限らず、他の目的で設けられてもよい。
【０１０２】
（筐体のシーリング構造）  
まず、筐体２０４のシーリング構造について説明する。図１３に示すように、ベース２１５とマスク２１６との間には、シーリング部材２１７（弾性部、弾性部材、介在部材、閉塞部材、パッキング、部材、部品）が設けられている。シーリング部材２１７の一例は、ガスケット（ケースガスケット）である。シーリング部材２１７は、例えばゴム製である。シーリング部材２１７は、ベース２１５とマスク２１６との間に挟まれ（圧縮され、変形され）、ベース２１５とマスク２１６との間を液密に塞ぐ。
【０１０３】
詳しく述べると、図１３ないし図１５に示すように、筐体２０４の側壁２１２は、内面２１２ａ（内周面、第１面）と、外面２１２ｂ（表面、外周面、第２面）と、取付面２１２ｃ（接続面、支持面、第３面）とを有する。内面２１２ａは、筐体２０４の内部に露出する。外面２１２ｂは、内面２１２ａとは反対側に位置し、筐体２０４の外部に露出する。
【０１０４】
取付面２１２ｃは、内面２１２ａおよび外面２１２ｂとは交差した方向に延び、内面２１２ａと外面２１２ｂとに亘る。取付面２１２ｃは、第１壁２１１と略平行である。取付面２１２ｃは、マスク２１６の端部（周端部、周縁部）に面する。すなわち、取付面２１２ｃは、第１壁２１１と交差した方向（例えば略直交した方向）で、マスク２１６の端部に面する。取付面２１２ｃは、マスク２１６の端部に接し、マスク２１６の端部を支持する。
【０１０５】
取付面２１２ｃは、例えばベース２１５の全周に設けられている。取付面２１２ｃには、シーリング部材２１７が取り付けられる溝２１８（取付部、支持部、保持部、収容部、係合部、凹部）が設けられている。溝２１８は、マスク２１６の端部に面し、マスク２１６に覆われる。溝２１８は、例えばベース２１５の全周に設けられ、ベース２１５の周端部（周縁部）に沿う環状（枠状）に形成されている。溝２１８は、開口部２１５ａの外側に位置し、開口部２１５ａを囲む。
【０１０６】
図１５に示すように、溝２１８は、底面２１８ａ（支持面、取付面、奥部、第１面）、第１側面２１８ｂ（第１起立面、第１周面、第２面）、および第２側面２１８ｃ（第２起立面、第２周面、第３面）を有する。底面２１８ａは、取付面２１２ｃと略平行である。底面２１８ａは、第１端部と、該第１端部とは反対側に位置した第２端部とを有する。第１側面２１８ｂは、底面２１８ａの第１端部から起立し、底面２１８ａの第１端部と取付面２１２ｃとの間を繋ぐ。第２側面２１８ｃは、底面２１８ａの第２端部から起立し、底面２１８ａの第２端部と取付面２１２ｃとの間を繋ぐ。
【０１０７】
図１３および図１４に示すように、シーリング部材２１７は、溝２１８に対応した形状を有する。すなわち、シーリング部材２１７は、ベース２１５の周端部（周縁部）に沿う環状（枠状）に形成されている。シーリング部材２１７は、溝２１８に取り付けられる。シーリング部材２１７は、開口部２１５ａの外側に位置し、開口部２１５ａを囲む。
【０１０８】
図１３ないし図１５に示すように、シーリング部材２１７は、パッキング部２２１（介在部、閉塞部、遮断部、圧縮部、第１部分）と、複数の突出部２２２（突起、鍔部、張出部、支持部、第２部分）とを有する。パッキング部２２１は、線状に延びている。パッキング部２２１は、シーリング部材２１７の本体部を構成し、ベース２１５の周端部に沿う環状（枠状）に形成されている。
【０１０９】
パッキング部２２１は、開口部２１５ａの外側に位置し、開口部２１５ａを囲む。パッキング部２２１は、ベース２１５とマスク２１６との間に挟まれて、ベース２１５とマスク２１６との間で圧縮（圧縮変形）される。パッキング部２２１は、ベース２１５とマスク２１６との間を液密に塞ぐ。
【０１１０】
図１５に示すように、パッキング部２２１は、円形よりも五角形に近い断面を有する。パッキング部２２１は、該パッキング部２２１の厚さ方向に、第１端部２２１ａと、第２端部２２１ｂとを有する。第１端部２２１ａは、溝２１８の底面２１８ａに面し、溝２１８の底面２１８ａに接する。第２端部２２１ｂは、第１端部２２１ａとは反対側に位置する。第２端部２２１ｂは、マスク２１６に面し、マスク２１６に接する。
【０１１１】
図１５に示すように、第１端部２２１ａは、２つの突起部と、その間に設けられた凹部とを有する。２つの突起部は、溝２１８の底面２１８ａに接し、溝２１８の底面２１８ａに支持される。２つの突起部の間に凹部が設けられているため、２つの突起部は、弾性変形しやすい。このため、第１端部２２１ａは、溝２１８の底面２１８ａに密接（密着）しやすい。これは、テレビジョン受像機２０１の液密性（防水性）を高める。
【０１１２】
第２端部２２１ｂは、圧縮変形されていない状態では、楔形（山形）に形成されている。すなわち、第２端部２２１ｂは、マスク２１６に近付く従い細くなる。図１６に示すように、第２端部２２１ｂは、マスク２１６に接し、マスク２１６に支持される。第２端部２２１ｂは、マスク２１６によって押圧され、マスク２１６の内面に沿って変形（弾性変形）される。これにより、第２端部２２１ｂとマスク２１６との間が確実に液密に塞がれる。ここで、第２端部２２１ｂは、楔形に形成されているため弾性変形しやすい。このため、第２端部２２１ｂはマスク２１６に密接（密着）しやすい。これは、テレビジョン受像機２０１の液密性（防水性）を高める。
【０１１３】
図１３および図１４に示すように、突出部２２２は、パッキング部２２１に部分的に設けられている。複数の突出部２２２は、パッキング部２２１が延びた方向（パッキング部２２１の周方向）に互いに離れている。
【０１１４】
図１５に示すように、パッキング部２２１は、第１端部２２１ａと第２端部２２１ｂとに亘る側面２２１ｃ（内周面、内面）を有する。側面２２１ｃは、溝２１８の第１側面２１８ｂに面する。突出部２２２は、側面２２１ｃに設けられ、該側面２２１ｃからパッキング部２２１の内側に突出している。突出部２２２は、溝２１８の底面２１８ａと略平行な方向に板状に延びている。
【０１１５】
ここで、マスク２１６がベース２１５に取り付けられる方向（筐体２０４の厚さ方向）を、第１方向Ｄ１と定義する。さらに、第１方向Ｄ１とは交差した方向（例えば略直交した方向）を、第２方向Ｄ２と定義する。突出部２２２は、第２方向Ｄ２に突出している。
【０１１６】
図１５に示すように、突出部２２２は、側面２２１ｃの略中央部から突出している。突出部２２２と第２端部２２１ｂとの間には、第１段差部２２３ａが設けられている。このため、突出部２２２は、第２端部２２１ｂよりも、溝２１８の底面２１８ａの近くに位置する。突出部２２２は、第２端部２２１ｂよりも、第１端部２２１ａの近くに位置する。換言すれば、突出部２２２は、第２端部２２１ｂよりも、取付面２１２ｃ（マスク２１６）離れている。
【０１１７】
突出部２２２と第１端部２２１ａとの間には、第２段差部２２３ｂが設けられている。このため、突出部２２２は、第１端部２２１ａよりも、マスク２１６の近くに位置する。突出部２２２は、第１端部２２１ａよりも、第２端部２２１ｂに近い。換言すれば、突出部２２２は、第１端部２２１ａよりも、溝２１８の底面２１８ａから離れている。突出部２２２と溝２１８の底面２１８ａとの間には、隙間Ｃ１が設けられている。
【０１１８】
シーリング部材２１７が溝２１８に取り付けられる時にシーリング部材２１７（パッキング部２２１）に捩れや倒れが生じると、突出部２２２が溝２１８の底面２１８ａに接する。これにより、シーリング部材２１７（パッキング部２２１）の大きな捩れや倒れが抑制される。
【０１１９】
図１４に示すように、溝２１８は、第１部分２２５ａと、第２部分２２５ｂとを有する。第１部分２２５ａは、パッキング部２２１の外形に合わせて設けられ、パッキング部２２１が収容される。第２部分２２５ｂは、突出部２２２に対応している。第２部分２２５ｂは、突出部２２２の外形に合わせて設けられ、突出部２２２が収容される。第２部分２２５ｂに位置した溝２１８の底面２１８ａは、「突出部に面した第１部分」の一例である。
【０１２０】
側壁２１２は、第１領域２２６ａ（第１部分）と、第２領域２２６ｂ（第２部分）とを有する。第１領域２２６ａは、突出部２２２が設けられていない部分に対応している。第１領域２２６ａは、パッキング部２２１と略平行に延びている。第２領域２２６ｂは、突出部２２２に対応している。第２領域２２６ｂは、第１領域２２６ａに比べて、筐体２０４の内側に突出した隆起部２２７（張出部、突出部）を有する。これにより、第２領域２２６ｂの取付面２１２ｃは、第１領域２２６ａの取付面２１２ｃに比べて広くなっている。溝２１８の第２部分２２５ｂは、上記幅が広くなった第２領域２２６ｂの取付面２１２ｃに設けられている。
【０１２１】
図１３に示すように、パッキング部２２１は、４つのコーナー部２２８（角部、円弧部、曲線部）と、この４つのコーナー部２２８の間に延びた４つの直線部２２９とを有する。また、パッキング部２２１は、一つの直線部２２９の途中に、筐体２０４の内側に折れ曲がった屈折部２３０を有する。
【０１２２】
コーナー部２２８および屈折部２３０は、それぞれ、パッキング部２２１の形状が直線状から変化した経路変化部（非直線部）の一例である。複数の突出部２２２は、上記経路変化部の両側に分かれて位置している。換言すれば、上記経路変化部は、複数の突出部２２２の間に位置する。また、いくつかの突出部２２２は、直線部２２９に設けられている。なお、突出部２２２は、コーナー部２２８の途中や屈折部２３０の途中に設けられてもよい。
【０１２３】
図１４に示すように、側壁２１２の内面２１２ａには、マスク２１６が係合する係合部２３１（受け部、爪部、支持部、取付部）が設けられている。突出部２２２は、例えば係合部２３１の近傍に設けられている。係合部２３１は、側壁２１２の第１領域２２６ａ（すなわち隆起部２２７がが存在しない領域）に設けられている。
【０１２４】
係合部２３１は、側壁２１２の内面２１２ａと略平行な方向（内面２１２ａに沿う方向）で、隆起部２２７と直線上に並んでいる。換言すれば、係合部２３１の一部は、隆起部２２７の一部よりも、側壁２１２の外面２１２ｂの近くに位置する。係合部２３１と隆起部２２７とが側壁２１２の互いに別の領域に設けられていることで、側壁２１２を薄くすることができる。これは、テレビジョン受像機２０１の小型化に寄与する。
【０１２５】
図１５、図１６、図１９、図２０に示すように、マスク２１６の内面は、平面部２３２（押圧部、接触部、接続部、第１部分）と、複数の支持部２３３（突起、突出部、支持部、第２部分）とを有する。平面部２３２は、マスク２１６の全周に設けられている。平面部２３２は、パッキング部２２１に面し、パッキング部２２１に接触する。平面部２３２は、溝２１８の底面２１８ａに向けてパッキング部２２１を押圧し、パッキング部２２１を支持する。これにより、パッキング部２２１は、平面部２３２と溝２１８の底面２１８ａとの間で圧縮される。
【０１２６】
支持部２３３は、シーリング部材２１７の突出部２２２に対応した位置に部分的に設けられている。複数の支持部２３３は、マスク２１６の周端部の周方向に分かれて設けられている。支持部２３３は、例えばマスク２１６の内面に設けられた突起（リブ）である。支持部２３３は、マスク２１６から突出部２２２に向いて突出し、突出部２２２に面する。支持部２３３は、溝２１８の底面２１８ａとは反対側から突出部２２２に面する。支持部２３３は、「突出部に向かい合う第２部分」の一例である。支持部２３３の先端部は、溝２１８の内部に入り込み、溝２１８の内部で突出部２２２に面する。
【０１２７】
図１５に示すように、支持部２３３と平面部２３２との間には、第３段差部２３３ａが設けられている。第３段差部２３３ａの段差幅ｔ１（厚さ）は、シーリング部材２１７の第１段差部２２３ａの段差幅ｔ２（厚さ）よりも小さい。
【０１２８】
図６に示すように、支持部２３３は、突出部２２２から僅かに離れるか、または突出部２２２に軽く接する。支持部２３３は、突出部２２２に向かい合うことで、シーリング部材２１７（パッキング部２２１）の捩れや倒れを規制する。すなわち、シーリング部材２１７に捩れや倒れが生じ、溝２１８の底面２１８ａから離れる方向に突出部２２２が移動する場合、支持部２３３は、突出部２２２を押さえ、シーリング部材２１７（パッキング部２２１）の捩れや倒れを抑制する。支持部２３３は、マスク２１６がベース２１５に取り付けられる時にマスク２１６とベース２１５との間で生じるシーリング部材２１７（パッキング部２２１）の捩れや倒れを抑制する。
【０１２９】
このような構成によれば、電子機器の組立性の向上を図ることができる。  
ベースとマスクとの間に介在されるシーリング部材は、マスクをベースに取り付ける時に、マスクとベースとの間で潰される（圧縮変形される）。これにより、マスクとベースとの間の液密が確保される。
【０１３０】
ここで、マスクがベースに真っ直ぐ上から取り付けられる場合は、シーリング部材に捩れや倒れは生じにくい。しかしながら、組立作業の誤差や作業者の習熟度によって、ベースに対して斜めに傾いた方向からマスクが取り付けられることが想定される。この場合、マスクとベースとの間でシーリング部材に捩れや倒れが生じやすい。シーリング部材に捩れや倒れが生じると、マスクとベースとの間でシーリング部材が適切に潰されず、シーリング部材の機能が十分に発揮できなくなる可能性がある。
【０１３１】
そこで本実施形態では、テレビジョン受像機２０１のシーリング部材２１７は、パッキング部２２１と、該パッキング部２２１に部分的に設けられた突出部２２２とを有する。ベース２１５は、突出部２２２に面した第１部分（例えば溝２１８の底面２１８ａ）を有する。マスク２１６は、前記第１部分とは反対側から突出部２２２に面した第２部分（例えば支持部２３３）を有する。このような構成によれば、ベース２１５やマスク２１６によって突出部２２２が支持され、パッキング部２２１が回転しにくい。これにより、シーリング部材２１７の捩れや倒れを抑制し、テレビジョン受像機２０１の組立性の向上を図ることができる。
【０１３２】
さらに言えば、上記のような支持部２３３を設けることで、パッキング部２２１の幅Ｗ（横幅）（図１４参照）を小さくしても（薄くしても）、シーリング部材２１７に捩れや倒れが生じにくくなる。このため、幅Ｗが小さなシーリング部材２１７を採用することができる。これは、テレビジョン受像機２０１の小型化に寄与する。
【０１３３】
本実施形態では、マスク２１６は、ベース２１５とは反対側から突出部２２２に面した支持部２３３を有する。このような構成によれば、支持部２３３によって突出部２２２が支持され、パッキング部２２１の回転が規制される。これにより、シーリング部材２１７の捩れや倒れを抑制することができる。
【０１３４】
本実施形態では、突出部２２２は、環状のパッキング部２２１の内側に設けられている。このため、側壁２１２の内面２１２ａに沿って、隆起部２２７と係合部２３１とを略直線上に配置することができる。これにより、テレビジョン受像機２０１の小型化を図ることができる。
【０１３５】
本実施形態では、突出部２２２と溝２１８の底面２１８ａとの間には、隙間Ｃ１が設けられている。このような構成によれば、突出部２２２がマスク２１６とベース２１５との間に挟まれ、この突出部２２２が邪魔になって、パッキング部２２１がマスク２１６とベース２１５との間で十分に圧縮されないという事態を避けることができる。すなわち、突出部２２２と溝２１８の底面２１８ａとの間に隙間Ｃ１（遊び、余裕部）を設けることで、パッキング部２２１がマスク２１６とベース２１５との間で適正に圧縮されることを促すことができる。
【０１３６】
本実施形態では、突出部２２２は、パッキング部２２１の第２端部２２１ｂよりも、溝２１８の底面２１８ａの近くに位置する。すなわち、パッキング部２２１の第２端部２２１ｂと突出部２２２との間には段差部２２３ａが設けられている。このような構成によれば、突出部２２２がマスク２１６の平面部２３２とベース２１５との間に挟まれ、この突出部２２２が邪魔になって、パッキング部２２１がマスク２１６とベース２１５との間で十分に圧縮されないという事態をさらに確実に避けることができる。
【０１３７】
本実施形態では、支持部２３３の先端部は、溝２１８の内部に入り込み、溝２１８の内部で突出部２２２に面する。このような構成によれば、シーリング部材２１７に捩れや倒れが生じる場合に支持部２３３が突出部２２２をさらに確実に押さえることができる。
【０１３８】
本実施形態では、パッキング部２２１の第２端部２２１ｂは、マスク２１６に近付くに従い細くなる楔形である。このような形状によれば、第２端部２２１ｂが弾性変形しやすく、第２端部２２１ｂとマスク２１６との接触が密になりやすい。
【０１３９】
一方で、第２端部２２１ｂが楔形であると、ベース２１５に対してマスク２１６が斜めに傾いた方向から取り付けられた場合、シーリング部材２１７に捩れや倒れが生じやすい。しかしながら、本実施形態の構成によれば、支持部２３３によって突出部２２２を支持することでシーリング部材２１７の捩れや倒れを抑制することができる。換言すれば、突出部２２２と支持部２３３とが設けられているため、捩れや倒れを抑制しつつ第２端部２２１ｂの形状を楔形にして、マスク２１６とパッキング部２２１との接触を密にすることができる。
【０１４０】
本実施形態では、複数の突出部２２２は、パッキング部２２１の経路変化部の両側に分かれて位置する。このような構成によれば、捩れや倒れが特に生じやすい経路変化部をさらに確実に支持することができる。また、突出部２２２が経路変化部の途中ではなくその両側に設けられることで、経路変化部（例えばコーナー部２２８）の近くにボスのような筐体構造を設けることができる。これは、テレビジョン受像機２０１の小型化に寄与する。
【０１４１】
本実施形態では、突出部２２２および支持部２３３は、ベース２１５の周端部に対して部分的に設けられている。これにより、突出部２２２および支持部２３３が設けられていない領域（例えば領域２２６ａ）を利用して、ベース２１５とマスク２１６との係合部２３１（連結部）を設けることができる。このため、本実施形態に係る構成によれば、突出部２２２および支持部２３３がベース２１５の周端部の全周に設けられる場合に比べて、テレビジョン受像機２０１の小型化を図ることができる。
【０１４２】
なお、テレビジョン受像機２０１は、上記構成に限定されるものではない。例えば、シーリング部材２１７は、ベース２１５に代えて、マスク２１６に取り付けられてもよい。すなわち、マスク２１６に溝２１８が設けられてシーリング部材２１７が取り付けられ、ベース２１５に支持部２３３が設けられてもよい。この場合、マスク２１６は、「第１部材」の一例である。ベース２１５は、「第２部材」の一例である。また、シーリング部材２１７が取り付けられる取付部は、溝でなくてもよい。シーリング部材２１７は、環状のものに限定されない。
【０１４３】
突出部２２２は、溝２１８の底面２１８ａと略平行な方向に延びたものに限定されない。突出部２２２は、例えば底面２１８ａと交差した方向に延びてもよい。突出部２２２は、パッキング部２２１の外周面から外側に突出してもよい。パッキング部２２１や突出部２２２、支持部２３３の形状や構造は、上記に限定されるものではない。
【０１４４】
（スピーカ取付構造）  
次に、スピーカ取付構造について説明する。図２１に示すように、筐体２０４内には、一対のスピーカ２４１が収容されている。なお、一対のスピーカ２４１の取付構造は略同じであるので、一方のスピーカ２４１の取付構造を代表して詳しく説明する。
【０１４５】
図１２、図２２、図２３に示すように、筐体２０４の側壁２１２には、開口部２４２が設けられている。開口部２４２は、スピーカ２４１からの音が出る放音部（放音口）である。開口部２４２は、底壁２１１と略平行に設けられ、側壁２１２を側方に貫通している。図２１ないし図２３に示すように、スピーカ２４１は、筐体２０４の内部で開口部２４２に対向している。
【０１４６】
筐体２０４の側壁２１２の内面２１２ａには、スピーカ２４１が取り付けられる取付部２４３（隆起部）が設けられている。取付部２４３は、側壁２１２の内面２１２ａから筐体２０４の内側に突出している。これにより、取付部２４３は、筐体２０４の厚さ方向に延びた取付面２４３ａを有する。すなわち取付面２４３ａは、円弧状の側壁２１２とは交差した方向に延びている。取付部２４３は、側壁２１２と一体に開口部２４２（放音口）が設けられている。
【０１４７】
図２２および図２３に示すように、スピーカ２４１と開口部２４２（側壁２１２）との間には、防水シート２４４、２枚のクッション２４５，２４６、および３枚の両面テープ２４７，２４８，２４９が設けられている。防水シート２４４（液密シート、防水部、遮断部、遮蔽部、シート、部材）は、取付面２４３ａとスピーカ２４１との間に位置する。防水シート２４４には、穴部は設けられていない。防水シート２４４は、スピーカ２４１からの振動を外部に伝えるために、例えば比較的硬い素材で構成されている。
【０１４８】
防水シート２４４と取付面２４３ａとの間には、第１クッション２４５（第１弾性部、第１介在部材）が設けられている。防水シート２４４とスピーカ２４１との間には、第２クッション２４６（第２弾性部、第２介在部材）が設けられている。クッション２４５，２４６は、押圧されて変形可能な部材であり、例えばスポンジ部材またはゴム部材である。防水シート２４４の両側にクッションがそれぞれ設けられることで、防水シート２４４が前後に振動可能になる。第１および第２クッション２４５，２４６は、それぞれ、開口部２４２（放音口）に対応した開口部が設けられている。
【０１４９】
第１クッション２４５と取付面２４３ａとの間には、防水性の第１両面テープ２４７が設けられている。第１クッション２４５と防水シート２４４との間には、防水性の第２両面テープ２４８が設けられている。防水シート２４４と第２クッション２４６との間には、第３両面テープ２４９が設けられている。第１ないし第３両面テープ２４７，２４８，２４９は、それぞれ、開口部２４２（放音口）に対応した開口部が設けられている。
【０１５０】
防水シート２４４、クッション２４５，２４６、および両面テープ２４７，２４８，２４９は、互いに貼り合わされ、スピーカ２４１が取り付けられる前に、取付面２４３ａに取り付けられて筐体２０４に支持されている。互いに貼り合わされて一体となった防水シート２４４、クッション２４５，２４６、および両面テープ２４７，２４８，２４９は、シーリング部２５０の一例を構成する。シーリング部２５０は、「弾性部」の一例である。
【０１５１】
図２４ないし図２６に示すように、筐体２０４は、第１支持部２５１（第１突起、第１取付部、第１仮留部、第１仮固定部）と、第２支持部２５２（第２突起、第２取付部、第２仮留部、第２仮固定部）とを有する。第１支持部２５１および第２支持部２５２は、それぞれ、筐体２０４の内面から突出した突起であり、例えば円柱状のピンである。第１支持部２５１および第２支持部２５２は、例えば取付部２４３（開口部２４２）の両側に分かれて位置する。
【０１５２】
第１支持部２５１および第２支持部２５２は、底壁２１１とは交差した方向（例えば略直交した方向）に突出している。第１支持部２５１および第２支持部２５２は、例えば取付面２４３ａと略平行に突出している。本実施形態では、第１支持部２５１および第２支持部２５２は、底壁２１１とは略直交した方向（すなわち筐体２０４の厚さ方向）に突出している。なお、第１支持部２５１および第２支持部２５２は、底壁２１１とは斜めに交差した方向に突出してもよい。第１支持部２５１は、底壁２１１とは交差した方向（例えば略直交した方向）から部品（モジュール、ユニット）が係合可能である。
【０１５３】
図２４ないし図２６に示すように、筐体２０４は、第１固定部２５３および第２固定部２５４を有する。第１固定部２５３および第２固定部２５４は、それぞれ、筐体２０４の内面から突出した突起部であり、例えばボスである。第１固定部２５３および第２固定部２５４は、それぞれ、穴２５５が設けられている。穴２５５は、例えばねじ穴またはねじ挿通穴である。穴２５５は、有底穴でもよく、貫通穴でもよい。穴２５５は、底壁２１１とは交差した方向（例えば略直交した方向）に開口している。
【０１５４】
第１固定部２５３は、第１支持部２５１の近傍に位置する。第１支持部２５１は、第１固定部２５３と取付部２４３との間に位置する。第２固定部２５４は、第２支持部２５２の近傍に位置する。第２支持部２５２は、第２固定部２５４と取付部２４３との間に位置する。なお、第１支持部２５１は、第１固定部２５３よりも外側に位置してもよい。第２支持部２５２は、第２固定部２５４よりも外側に位置してもよい。
【０１５５】
図２７に示すように、スピーカ２４１には、ホルダ２５６（スピーカホルダ、保持部、ケース、取付部材）が取り付けられている。ホルダ２５６およびスピーカ２４１は、スピーカモジュール２５７（スピーカユニット）として一体である。筐体２０４（ベース２１５）は、「第１部材」の一例である。スピーカモジュール２５７は、「第２部材」、「モジュール」、「ユニット」、「部品」、「部材」のそれぞれ一例である。
【０１５６】
図２４ないし図２７に示すように、ホルダ２５６は、第１部分２５６ａ、第２部分２５６ｂ、および第３部分２５６ｃを有する。第１部分２５６ａは、スピーカ２４１を保持した保持部（支持部）である。第１部分２５６ａは、スピーカ２４１の外形を囲む。第１部分２５６ａは、シーリング部２５０（弾性部）に向かい合う。
【０１５７】
第１部分２５６ａは、第１端部と、該第１端部とは反対側に位置した第２端部とを有する。第２部分２５６ｂは、第１部分２５６ａの第１端部に設けられ、スピーカ２４１から離れる方向に延びている。第３部分２５６ｃは、第１部分２５６ａの第２端部に設けられ、スピーカ２４１から離れる方向に延びている。すなわち、第２部分２５６ｂおよび第３部分２５６ｃは、第１部分２５６ａの両側に分かれて位置する。
【０１５８】
図２４ないし図２７に示すように、第２部分２５６ｂは、例えば底壁２１１と略平行な板状に形成されている。第２部分２５６ｂは、底壁２１１とは交差した方向（例えば略直交した方向）で、第１支持部２５１および第１固定部２５３に向かい合う。第２部分２５６ｂは、第１傾向部２６１（第１取付部、第１係り部）が設けられている。
【０１５９】
第１傾向部２６１は、第１支持部２５１に係合する。第１傾向部２６１は、例えば第１支持部２５１が通される穴（丸穴、貫通穴、挿通孔）である。なお、第１傾向部２６１は、穴に限らず、ホルダ２５６に設けられた凹部（窪み）でもよい。第１傾向部２６１は、底壁２１１とは交差した方向から第１支持部２５１に係合される（取り付けられる、通される）。第１傾向部２６１は、例えば取付面２４３ａと略平行な方向から第１支持部２５１に係合される。第１支持部２５１は、該第１支持部２５１に第１傾向部２６１が係合されることで、スピーカモジュール２５７を支持する。
【０１６０】
図２５および図２６に示すように、スピーカモジュール２５７は、第１支持部２５１に支持された状態で、第１支持部２５１を軸（中心、回動中心、支点）として、第１位置Ｐ１と第２位置Ｐ２とに亘り回動可能である。
【０１６１】
図２５に示すように、第１位置Ｐ１（仮固定位置、仮置き位置）は、側壁２１２から離れた位置である。第１位置Ｐ１では、スピーカモジュール２５７は、側壁２１２とは交差した方向に向き、側壁２１２に対して傾いている。第１位置Ｐ１では、スピーカモジュール２５７は、シーリング部２５０から離れている。スピーカモジュール２５７とシーリング部２５０との間には、隙間Ｃ２が設けられている。第１位置Ｐ１では、シーリング部２５０は、非圧縮の状態である。
【０１６２】
スピーカモジュール２５７は、第１支持部２５１に支持された状態で、該第１位置Ｐ１から第２位置Ｐ２（本固定位置）まで移動可能である。本実施形態では、スピーカモジュール２５７は、第１傾向部２６１が第１支持部２５１に係合された状態で第１支持部２５１を軸として回転されることで、底壁２１１と略平行な方向で第１位置Ｐ１から第２位置Ｐ２に移動される。
【０１６３】
図２６に示すように、第２位置Ｐ２は、第１位置Ｐ１よりも、側壁２１２（開口部２４２、シーリング部２５０）の近くに位置する。第２位置Ｐ２では、スピーカモジュール２５７は、側壁２１２と略平行に位置する。スピーカモジュール２５７は、開口部２４２の正面に位置し、開口部２４２に面する。
【０１６４】
シーリング部２５０は、スピーカモジュール２５７が第１位置Ｐ１から第２位置Ｐ２に移動する間に、スピーカモジュール２５７と側壁２１２との間に挟まれる。第２位置Ｐ２では、スピーカモジュール２５７は、シーリング部２５０に接しており、シーリング部２５０を側壁２１２に向けて押圧する。これにより、シーリング部２５０は、スピーカモジュール２５７と側壁２１２との間で圧縮（圧縮変形）され、スピーカモジュール２５７と側壁２１２との間を液密に塞ぐ。シーリング部２５０は、開口部２４２の周りを液密に塞ぐ。
【０１６５】
図２４ないし図２７に示すように、第３部分２５６ｃは、例えば底壁２１１と略平行な板状に形成されている。第３部分２５６ｃは、底壁２１１とは交差した方向（例えば略直交した方向）で、第２固定部２５４に向かい合う。第３部分２５６ｃは、第２係合部２６２（第２取付部、第２係り部）が設けられている。
【０１６６】
第２係合部２６２は、第２位置Ｐ２で、第２支持部２５２に接する（係合する）。これにより、スピーカモジュール２５７は、第２位置Ｐ２で回動が規制され、第２位置Ｐ２で位置決めされる。第２支持部２５２は、「位置決め部」の一例である。
【０１６７】
スピーカモジュール２５７（第２部分２５６ｂ）は、第２支持部２５２に面した端部を有する。第２係合部２６２は、該端部に設けられている。第２係合部２６２の一例は、第２支持部２５２に向いて開口したＵ字形の切欠き部である。第２係合部２６２は、筐体２０４の厚さ方向とは交差した方向（例えば底壁２１１と略平行な方向）で、第２支持部２５２に係合する（第２支持部２５２が挿入される）。
【０１６８】
第２係合部２６２の一例は、例えば第２支持部２５２に掛かる（引っ掛かる）フック２６３（爪部、係り部、仮留め部）を有する。第２係合部２６２（フック２６３）は、第２位置Ｐ２で第２支持部２５２に係合し、第２支持部２５２に仮固定さえる。これにより、スピーカモジュール２５７は、第２位置Ｐ２に仮固定される。なお、第２係合部２６２は、フック２６３に代えて、例えば第２支持部２５２の直径よりも狭い幅狭部（係り部、仮留め部）を有して第２支持部２５２に仮固定されてもよい。
【０１６９】
図２４ないし図２７に示すように、ホルダ２５６の第２部分２６２ｂは、第１穴２６４（第１挿通穴、第１貫通孔、第１固定穴、第１孔、第１取付穴）を有する。第１穴２６４は、第２位置Ｐ２で、第１固定部２５３の穴２５５に面する。ホルダ２５６の第１穴２６４および第１固定部２５３の穴２５５には、第１固定部材２６５（第１固定部、第１取付部材、第１支持部材）が取り付けられる。
【０１７０】
第１固定部材２６５は、例えばねじである。第１固定部材２６５は、底壁２１１とは交差した方向（例えば略直交した方向）から第１穴２６４および第１固定部２５３の穴２５５に挿入される。第１固定部材２６５は、例えば取付面２４３ａと略平行な方向から第１穴２６４および第２固定部２５３の穴２５５に挿入される。
【０１７１】
本実施形態では、マスク２１６の内面は、第１固定部２５３に向かい合う第３固定部２６９（図１９、図２０参照）を有する。第３固定部２６９は、ねじ穴２５５を有する。図２６に示すように、第１固定部材２６５は、例えば筐体２０４の外側から第１固定部２５３の穴２５５（挿通穴）およびホルダ２５６の第１穴２６４に通され、マスク２１６の第３固定部２６９のねじ穴２５５に固定（係合、螺合）される。これにより、第２位置Ｐ２でスピーカモジュール２５７が筐体２０４に固定される。
【０１７２】
なお、上記構成に代えて、第１固定部２５３の穴２５５は、ねじ穴でもよい。第１固定部材２６５は、筐体２０４の内側からホルダ２５６の第１穴２６４に通され、第１固定部２５３の穴２５５に固定（係合、螺合）されてもよい。
【０１７３】
図２４ないし図２７に示すように、ホルダ２５６の第３部分２５６ｃは、第２穴２６６（第２挿通穴、第２貫通孔、第２固定穴、第２孔、第２取付穴）を有する。第２穴２６６は、第２位置Ｐ２で、第２固定部２５４の穴２５５に面する。ホルダ２５６の第２穴２６６および第２固定部２５４の穴２５５には、第２固定部材２６７（第２固定部、第２取付部材、第２支持部材）が取り付けられる。
【０１７４】
第２固定部材２６７は、例えばねじである。第２固定部材２６７は、底壁２１１とは交差した方向（例えば略直交した方向）から第２穴２６６および第２固定部２５４の穴２５５に挿入される。第２固定部材２６７は、例えば取付面２４３ａと略平行な方向から第２穴２６６および第２固定部２５４の穴２５５に挿入される。
【０１７５】
本実施形態では、第２固定部２５４の穴２５５は、ねじ穴である。第２固定部材２６７は、筐体２０４の内側からホルダ２５６の第２穴２６６に通され、第２固定部２５４の穴２５５に固定（係合、螺合）される。これにより、第２位置Ｐ２でスピーカモジュール２５７が筐体２０４に固定される。
【０１７６】
図２６に示すように、本実施形態では、第１固定部材２６５および第２固定部材２６７は、段付きねじである。段付きねじは、ねじ部２６８ａと、非ねじ部２６８ｂ（胴部、円柱部）とを有する。非ねじ部２６８ｂには、ねじ山は設けられていない。このため、非ねじ部２６８ｂは、ねじ部２６８ａに比べて、部品公差が小さい。
【０１７７】
ホルダ２５６の第１穴２６４には、第１固定部材２６５の非ねじ部２６８ｂが挿入される。ホルダ２５６の第２穴２６６には、第２固定部材２６７の非ねじ部２６８ｂが挿入される。第１および第２の固定部材２６５，６７の非ねじ部２６８ｂが穴２６４，２６６に挿入されることで、ホルダ２５６の位置が正確に定まる。これにより、シーリング部材２１７の圧縮量（つぶし量）を、精度良く制御することができる。
【０１７８】
スピーカモジュール２５７は、筐体２０４の第１位置Ｐ１に仮置き（仮固定）され、該第１位置Ｐ１から移動された第２位置Ｐ２で筐体２０４に固定（本固定）される。次に、図２５、図２６、図２７を参照して、スピーカモジュール２５７の取付方法の一例について説明する。
【０１７９】
まず、スピーカモジュール２５７が取り付けられる前に、シーリング部２５０が側壁２１２に取り付けられる（図２７中のＳ１）。なお、シーリング部２５０は、側壁２１２に代えて、スピーカモジュール２５７に取り付けられてもよい。
【０１８０】
ここで、上記とは別の観点の第１方向Ｘおよび第２方向Ｙを定義する。第１方向Ｘは、底壁２１１とは交差した方向である。本実施形態では、第１方向Ｘは、底壁２１１と略直交した方向である。なお、第１方向Ｘは、底壁２１１とは斜めに交差した方向でもよい。
【０１８１】
図２５に示すように、スピーカモジュール２５７は、第１方向Ｘから第１支持部２５１に取り付けられる（図２７中のＳ２）。スピーカモジュール２５７は、側壁２１２に取り付けられたシーリング部２５０に接しないように（シーリング部２５０を剥がさないように）、側壁２１２から離れた第１位置Ｐ１に取り付けられる。スピーカモジュール２５７は、第１位置Ｐ１で第１支持部２５１に支持される。
【０１８２】
スピーカモジュール２５７は、第１支持部２５１に支持された状態で、第１位置Ｐ１から第２位置Ｐ２に移動される（図２７中のＳ３）。本実施形態では、スピーカモジュール２５７は、第１支持部２５１を軸として、第２方向Ｙに回転させられる。第２方向Ｙは、第１方向Ｘとは交差した方向である。第２方向Ｙは、第１位置Ｐ１からシーリング部２５０（側壁２１２）に近付く方向である。本実施形態では、第２方向Ｙは、底壁２１１と略平行な方向である。第２方向Ｙは、シーリング部２５０（側壁２１２）と交差した方向（例えば略直交した方向）である。
【０１８３】
シーリング部２５０は、スピーカモジュール２５７が第１位置Ｐ１から第２位置Ｐ２に移動する間に、スピーカモジュール２５７と側壁２１２との間で挟まれ、スピーカモジュール２５７と側壁２１２との間で圧縮される（図２７中のＳ４）。これにより、開口部２４２周りが液密に塞がれる。
【０１８４】
スピーカモジュール２５７が第２位置Ｐ２まで移動されると、第２係合部２６２が第２支持部２５２に接し、スピーカモジュール２５７の移動が規制される（図２７中のＳ５）。これにより、スピーカモジュール２５７は、第２位置Ｐ２に位置決めされる。本実施形態では、第２係合部２６２は、第２支持部２５２に掛かるフック２６３を有する。このため、第２位置Ｐ２に移動されたスピーカモジュール２５７は、第２位置で第２支持部２５２に係り、第２位置Ｐ２で保持される。
【０１８５】
次に、第２固定部材２６７がホルダ２５６の第２穴２６６に通され、第２固定部２５４の穴２５５に係合される（図２７中のＳ６）。これにより、スピーカモジュール２５７は、筐体２０４に固定（本固定）される。さらに本実施形態では、ベース２１５とマスク２１６とが合わされた後、第１固定部材２６５が第１固定部２５３の穴２５５およびホルダ２５６の第１穴２６４に通され、マスク２１６の第３固定部２６９の穴２５５に係合される。これにより、ベース２１５、マスク２１６、およびスピーカモジュール２５７が共締めされる。
【０１８６】
このような構成によれば、テレビジョン受像機２０１の組立性の向上を図ることができる。  
例えば表示画面を同じ面にスピーカの放音口を設ける場合、該放音口によってデザイン性が制約され、例えば狭額縁の電子機器の実現が困難になる。そのため、筐体の側壁に放音口を設け、側壁の内面にスピーカを取り付けることが考えられる。
【０１８７】
比較のため、図２８に、側壁２７１と略平行な方向からスピーカモジュール２７２が取り付けられる電子機器２７３を示す。この電子機器２７３は、側壁２７１とスピーカモジュール２７２との間で圧縮されるシーリング部２７４を有する。この場合、側壁２７１と略平行な方向からスピーカモジュール２７２を取り付けようとすると、スピーカモジュール２７２がシーリング部２７４の端部に引っ掛かり、シーリング部２７４が側壁２７１から剥がれるか、傾いて圧縮される可能性がある。このため、このような構造を有した電子機器２７３の組立性は、低くなる傾向にある。
【０１８８】
一方で、本実施形態では、テレビジョン受像機２０１は、筐体２０４と、筐体２０４の第１位置Ｐ１に仮置きされ、該第１位置Ｐ１から移動された第２位置Ｐ２で筐体２０４に固定されたスピーカモジュール２５７を有する。このような構成によれば、２段階による取付けになるため、種々の問題を解決してテレビジョン受像機２０１の組立性を向上させることができる。
【０１８９】
例えば本実施形態では、テレビジョン受像機２０１は、スピーカモジュール２５７が第２位置Ｐ２から第１位置Ｐ１に移動される間に、スピーカモジュール２５７と側壁２１２との間に挟まれるシーリング部２５０を有する。このような構成によれば、シーリング部２５０を適切な方向から押圧しやすく、シーリング部２５０の剥がれや捩れなどを抑制することができる。これにより、テレビジョン受像機２０１の組立性を向上させることができる。
【０１９０】
本実施形態では、スピーカモジュール２５７は、第１方向Ｘから第１支持部２５１に係合され、第１方向Ｘとは交差する第２方向Ｙで第１位置Ｐ１から第２位置Ｐ２に移動される。このような構成によれば、スピーカモジュール２５７がシーリング部２５０を押圧した方向と、スピーカモジュール２５７を筐体２０４に取り付ける方向とを別にすることができる。このため、例えば底壁２１１と交差した方向から第１支持部２５１にスピーカモジュール２５７を取り付けることができる。これは、テレビジョン受像機２０１の組立性を向上させることができる。
【０１９１】
本実施形態では、スピーカモジュール２５７が第２位置Ｐ２に移動された後に筐体２０４に取り付けられ、スピーカモジュール２５７を第２位置Ｐ２に固定した固定部材２６５，２６７をさらに備える。このような構成によれば、スピーカモジュール２５７を第２位置Ｐ２でさらに強固に固定することができる。
【０１９２】
本実施形態では、固定部材２６７は、底壁２１１とは交差した方向から筐体２０４に取り付けられる。このような構成によれば、例えば底壁２１１と交差した方向から固定部材２６７を筐体２０４に取り付けることができる。これは、テレビジョン受像機２０１の組立性をさらに向上させることができる。
【０１９３】
本実施形態では、第１支持部２５１は、底壁２１１とは交差した方向に突出した第１突起である。スピーカモジュール２５７は、前記第１突起が係合する第１傾向部２６１が設けられ、第１傾向部２６１が前記第１突起に係合された状態で前記第１突起を軸として回動されることで、底壁２１１と略平行な方向で第１位置Ｐ１から第２位置Ｐ２に移動される。このような構成によれば、スピーカモジュール２５７を、底壁２１１と略平行な方向に安定して移動させることができる。これは、テレビジョン受像機２０１の組立性をさらに向上させることができる。
【０１９４】
本実施形態では、筐体２０４、位置決め部（例えば第２支持部２５２）を有する。スピーカモジュール２５７は、第２位置Ｐ２で前記位置決め部に係合して仮固定される第２係合部２６２が設けられている。このような構成によれば、スピーカモジュール２５７の位置が第２位置で正確に定まる。これは、テレビジョン受像機２０１の組立性をさらに向上させることができる。
【０１９５】
本実施形態では、前記位置決め部は、底壁２１１とは交差した方向に突出した第２突起である。第２係合部２６２は、前記第２突起に面したスピーカモジュール２５７の端部に設けられ、前記第２突起に向いて開口した切欠き部である。このような構成によれば、第２位置Ｐ２まで回転移動されたスピーカモジュール２５７が前記位置決め部に係合しやすい。これは、テレビジョン受像機２０１の組立性をさらに向上させることができる。
【０１９６】
なお、本実施形態は、例えば図３０に示すような電子機器２８１にも適用可能である。電子機器２８１は、例えばスレートＰＣである。なお、上述したように、本実施形態および下記の実施形態は、種々の電子機器に広く適用可能である。
【０１９７】
本実施形態では、スピーカの取付構造について説明した。なお、本実施形態に係る取付構造が適用可能な部品は、スピーカに限定されるものではない。上記取付構造は、例えばコネクタやカメラ、スイッチ、ＬＥＤ、マイク、レシーバーなどを含む種々の部品に広く適用可能である。
【０１９８】
また、本実施形態は、側壁２１２に対して部品を取り付ける場合を説明したが、本実施形態に係る取付構造は、これに限定されるものではない。上記取付構造は、底壁２１１や上壁２１３、またはその他の部分に対して部品を取り付ける場合にも適用可能である。第１位置Ｐ１から第２位置Ｐ２への部品の移動方向は、底壁２１１と略平行な方向に限らない。第１位置Ｐ１から第２位置Ｐ２への部品の移動は、回転移動に限らず、スライド移動や、その他の移動でもよい。また第２支持部２５２は、省略可能である。
【０１９９】
次に、図３１および図３２を参照して、第７の実施の形態について説明する。図３１に示すように、筐体２０４には、支持部２５１と固定部２５３とが設けられている。支持部２５１は、例えば底壁２１１と略平行に突出した円柱状のピンである。スピーカモジュール２５７は、傾向部２６１と、穴２６４とが設けられている。スピーカモジュール２５７は、底壁２１１とは交差する第１方向Ｘから支持部２５１に取り付けられる。スピーカモジュール２５７は、側壁２１２から離れた第１位置Ｐ１で、支持部２５１に支持される。
【０２００】
図３２に示すように、スピーカモジュール２５７は、傾向部２６１が支持部２５１に支持された状態で、第１位置Ｐ１から第２位置Ｐ２に移動される。本実施形態では、スピーカモジュール２５７は、傾向部２６１が支持部２５１に支持された状態で支持部２５１を軸として回転されることで、第１位置Ｐ１から第２位置Ｐ２に移動される。スピーカモジュール２５７は、第１方向Ｘとは交差する第２方向Ｙで、第１位置Ｐ１から第２位置Ｐ２に移動される。
【０２０１】
シーリング部２５０は、スピーカモジュール２５７が第１位置Ｐ１から第２位置に移動させる間に、スピーカモジュール２５７と側壁２１２との間に挟まれて圧縮される。固定部材２６５は、スピーカモジュール２５７を第２位置Ｐ２で固定する。固定部材２６５は、底壁２１１とは交差した方向（例えば側壁２１２と略平行な方向）から筐体２０４に取り付けられる。
【０２０２】
このような構成によれば、上記第６実施形態と同様に、テレビジョン受像機２０１の組立性の向上を図ることができる。
【０２０３】
次に、図３３および図３４を参照して、第８の実施の形態について説明する。図３３に示すように、筐体２０４には、支持部２５１が設けられている。本実施形態に係る支持部２５１は、筐体２０４に設けられた載置面（取付面、仮置き面、スライド面、ガイド）である。スピーカモジュール２５７は、上記載置面の上に置かれることで、支持部２５１に支持される。スピーカモジュール２５７は、底壁２１１とは交差する第１方向Ｘから支持部２５１に置かれる。スピーカモジュール２５７は、側壁２１２から離れた第１位置Ｐ１で、支持部２５１に支持される。
【０２０４】
図３４に示すように、スピーカモジュール２５７は、支持部２５１に支持された状態で、第１位置Ｐ１から第２位置Ｐ２に移動される。本実施形態では、スピーカモジュール２５７は、支持部２５１に載せられた状態で、第１位置Ｐ１から第２位置Ｐ２に向いて（側壁２１２に向いて）スライド移動される。
【０２０５】
本実施形態では、例えばスピーカモジュール２５７の背後に固定部材２６５が取り付けられる。固定部材２６５は、底壁２１１とは交差した方向（例えば側壁２１２と略平行な方向）から筐体２０４に取り付けられる。固定部材２６５は、例えば楔形の形状を有する。固定部材２６５が取り付けられることで、スピーカモジュール２５７は、側壁２１２に向けて押されて、第２位置Ｐ２に移動する。固定部材２６５は、スピーカモジュール２５７を第２位置Ｐ２で固定する。
【０２０６】
このような構成によれば、上記第６実施形態と同様に、テレビジョン受像機２０１の組立性の向上を図ることができる。
【０２０７】
次に、図３５を参照して、第９の実施の形態について説明する。図３５に示すように、側壁２１２は、第１開口部２８３と、蓋２８４とが設けられている。蓋２８４は、側壁２１２に着脱可能に取り付けられ、第１開口部２８３を覆う。蓋２８４は、例えば防水性の両面テープ２８５によって側壁２１２に固定される。蓋２８４は、第２開口部２４２（放音部、放音口）が設けられている。蓋２８４は、側壁２１２の一部である。
【０２０８】
シーリング部２５０は、スピーカモジュール２５７に取り付けられている。スピーカモジュール２５７は、筐体２０４の内部に取り付けられる。蓋２８４は、スピーカモジュール２５７が取り付けられた後に、側壁２１２に取り付けられる。蓋２８４が側壁２１２に取り付けられることで、シーリング部２５０は、蓋２８４とスピーカモジュール２５７との間に挟まれて圧縮される。
【０２０９】
このような構成によれば、シーリング部２５０が剥がれたり傾いたりすることを抑制することができる。これにより、テレビジョン受像機２０１の組立性を向上させることができる。
【０２１０】
次に、図３６を参照して、第１０の実施の形態について説明する。上記第６ないし第９の実施形態では、防水性を目的とした部品の取付構造について説明した。なお、上記取付構造は、防水性を目的としたものに限定されるものではなく、種々の目的のものに広く適用可能である。本実施形態では、上記取付構造を例えば発熱部品の押圧部品に適用したものである。
【０２１１】
図３６に示すように、回路基板２６は、発熱部品２８６を有する。発熱部品２８６は、例えばＣＰＵやグラフィックチップであるが、これらに限定されるものではない。発熱部品２８６には、受熱部材２８７（または放熱部材２８７）が取り付けられている。発熱部品２８６と受熱部材２８７との間には、熱伝導部材２８８（伝熱部材）が介在されている。熱伝導部材２８８は、例えば熱伝導シートまたは熱伝導性グリスである。熱伝導部材２８８は、弾性部の一例である。
【０２１２】
テレビジョン受像機２０１は、押圧部材２８９（押圧部、押圧部品）を有する。受熱部材２８７は、発熱部品２８６と押圧部材２８９との間に位置する。押圧部材２８９は、受熱部材２８７を発熱部品２８６に向けて押圧する。熱伝導部材２８８は、受熱部材２８７と発熱部品２８６との間に挟まれる。これにより、発熱部品２８６と受熱部材２８７との熱接続が強固になる。
【０２１３】
図３６に示すように、回路基板２６は、支持部２５１と、固定部２５３とが設けられている。支持部２５１は、例えば回路基板２６と略平行に突出した円柱状のピンである。固定部２５３は、例えば回路基板２６に設けられたスタッドである。押圧部材２８９は、傾向部２６１と、穴２６４とが設けられている。
【０２１４】
押圧部材２８９は、受熱部材２８７から離れた第１位置Ｐ１で、支持部２５１に支持される。押圧部材２８９は、傾向部２６１が支持部２５１に支持された状態で、第１位置Ｐ１から受熱部材２８７に近付く第２位置Ｐ２に移動される。本実施形態では、押圧部材２８９は、傾向部２６１が支持部２５１に支持された状態で支持部２５１を軸として回転されることで、第１位置Ｐ１から第２位置Ｐ２に移動される。
【０２１５】
熱伝導部材２８８は、押圧部材２８９が第１位置Ｐ１から第２位置に移動させる間に、受熱部材２８７と発熱部品２８６との間（すなわち押圧部材２８９と発熱部品２８６との間）に挟まれて圧縮される。固定部材２６５は、押圧部材２８９を第２位置Ｐ２で固定する。
【０２１６】
このような構成によれば、上記第６実施形態と同様に、テレビジョン受像機２０１の組立性の向上を図ることができる。さらに、本実施形態によれば、ねじのような固定部材の数を減らすことができる。これは、テレビジョン受像機２０１の低コスト化に寄与する。
【０２１７】
また、第６ないし第１０実施形態に係る取付構造は、シーリング部２５０や熱伝導部材２８８を挟み込むものに限らず、例えばコネクタと筐体２０４の導体部との間にＥＭＩ(Electro Magnet Interference)対策用の導電性部材を挟みこむ構造にも適用可能である。
【０２１８】
以上述べた少なくとも一つの電子機器によれば、第１の部材の少なくとも一部が壁部と基板との間に位置し、第２の部材が開口部を覆うとともに前記第１の部材によって前記壁部に押圧され、設計自由度が高まる。
【０２１９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０２２０】
１０…テレビ受像機、１５…筐体、２８…側壁、３１…ボタン、３９…モジュール基板、４１Ａ，４１Ｂ…スイッチ、４６…底壁、４７Ａ，４７Ｂ…開口部、５６Ａ，５６Ｂ…キーパッド、５８…変位部、６１…支持部材、６２…押圧部、６３…取付部、６５…挿通口、７１…軸孔、７４…係合部、７６，７７…突出部、８１…固定部、８２…第１の嵌合部、８３…第２の嵌合部、８５，８７…基部、８６，８８…爪部、１０１…スレートコンピュータ。
【図１】
2013187129.tif 000003
【図２】
2013187129.tif 000004
【図３】
2013187129.tif 000005
【図４】
2013187129.tif 000006
【図５】
2013187129.tif 000007
【図６】
2013187129.tif 000008
【図７】
2013187129.tif 000009
【図８】
2013187129.tif 000010
【図９】
2013187129.tif 000011
【図１０】
2013187129.tif 000012
【図１１】
2013187129.tif 000013
【図１２】
2013187129.tif 000014
【図１３】
2013187129.tif 000015
【図１４】
2013187129.tif 000016
【図１５】
2013187129.tif 000017
【図１６】
2013187129.tif 000018
【図１７】
2013187129.tif 000019
【図１８】
2013187129.tif 000020
【図１９】
2013187129.tif 000021
【図２０】
2013187129.tif 000022
【図２１】
2013187129.tif 000023
【図２２】
2013187129.tif 000024
【図２３】
2013187129.tif 000025
【図２４】
2013187129.tif 000026
【図２５】
2013187129.tif 000027
【図２６】
2013187129.tif 000028
【図２７】
2013187129.tif 000029
【図２８】
2013187129.tif 000030
【図２９】
2013187129.tif 000031
【図３０】
2013187129.tif 000032
【図３１】
2013187129.tif 000033
【図３２】
2013187129.tif 000034
【図３３】
2013187129.tif 000035
【図３４】
2013187129.tif 000036
【図３５】
2013187129.tif 000037
【図３６】
2013187129.tif 000038
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
底壁と、少なくとも一部が前記底壁と交差する方向に延びるとともに開口部が設けられた側壁と、を有した筐体と、
前記筐体の内部で前記底壁の少なくとも一部に面して配置された基板と、
少なくとも一部が前記側壁と前記基板との間に位置し、前記側壁に面するとともに挿通部が設けられた支持部材と、
前記側壁に接して前記側壁と前記支持部材との間に介在した接触部と、前記挿通部で弾性的に変位可能な変位部と、を有し、前記開口部を塞いだ浸水抑制部材と、
前記開口部に挿通されて前記変位部に接した操作部と、
前記筐体に設けられ、前記浸水抑制部材を前記側壁に押圧するように前記支持部材を固定した固定部と、
前記筐体に設けられ、前記支持部材が前記側壁に向かって回動できるように前記支持部材に係った係部と、
前記基板に実装され、前記変位部に面するとともに弾性変形した前記変位部からの押圧を受けて操作される電子部品と、
を具備した電子機器。
【請求項２】
開口部が設けられた壁部を有した筐体と、
前記筐体に収容された基板と、
少なくとも一部が前記壁部と前記基板との間に位置し、前記壁部に面した第１の部材と、
前記壁部に接して前記壁部と前記第１の部材との間に介在し、前記開口部を塞ぐとともに少なくとも一部が弾性的に変位可能な第２の部材と、
前記筐体に設けられ、前記第１の部材が前記壁部に向かって回動できるように前記第１の部材と係合した係合部と、
前記筐体に設けられ、前記第２の部材を前記壁部に押圧するように前記第１の部材を固定した固定部と、
前記基板に実装され、弾性変形した前記第２の部材の一部からの押圧を受けて操作される電子部品と、
を具備した電子機器。
【請求項３】
前記基板が前記壁部と交差するように配置された請求項２に記載の電子機器。
【請求項４】
前記開口部に挿通されて弾性的に変位可能な前記第２の部材の一部に面した第３の部材をさらに具備した請求項２または３に記載の電子機器。
【請求項５】
前記第１の部材に、弾性的に変位可能な前記第２の部材の一部が入る挿通部が設けられ、
前記電子部品は、弾性的に変位可能な前記第２の部材の一部に面する請求項２または４に記載の電子機器。
【請求項６】
前記固定部は、前記壁部から突出した基部と、前記基部から前記壁部に沿う方向に延びた爪部とをそれぞれ有した一対の嵌合部を有し、
前記第１の部材および前記第２の部材は、前記壁部と前記爪部との間に挟まれた請求項２または５の電子機器。
【請求項７】
前記第１の部材が、前記第２の部材に接する第１の部分と、前記第１の部分と交差するとともに前記係合部に係合される第２の部分と、を有した請求項６に記載の電子機器。
【請求項８】
前記係合部は、前記筐体から突出した突出部を有し、
前記第１の部材は、前記第２の部分に前記突出部が挿通される孔が設けられ、該孔に挿通された前記突出部を軸に回動可能である請求項７に記載の電子機器。
【請求項９】
前記壁部に設けられた他の開口部を覆うように前記壁部に接して前記壁部と前記第１の部材との間に介在し、前記他の開口部を水密に塞ぐとともに少なくとも一部が弾性的に変位可能な第４の部材と、
前記基板に実装され、弾性変形した前記第４の部材の一部によって操作される他の電子部品と、
をさらに具備し、
前記固定部は、前記第２の部材と前記第４の部材とを前記壁部に押圧するように前記第１の部材を固定する請求項２または８に記載の電子機器。
【請求項１０】
前記筐体は前記基板の少なくとも一部が面する底壁を有し、
前記壁部は前記底壁と交差するように設けられた請求項２または９に記載の電子機器。
【請求項１１】
開口部が設けられた壁部を有した筐体と、
前記筐体に収容された基板と、
少なくとも一部が前記壁部と前記基板との間に位置した第１の部材と、
前記開口部を覆うとともに前記第１の部材によって前記壁部に押圧され、少なくとも一部が変位可能な第２の部材と、
前記筐体に設けられ、前記第１の部材が前記壁部に向かって回動できるように前記第１の部材と係合した係合部と、
前記基板に実装され、変位した前記第２の部材の一部によって押される電子部品と、
を具備した電子機器。
【手続補正２】
【補正対象書類名】明細書
【補正対象項目名】０００６
【補正方法】変更
【補正の内容】
【０００６】
一つの実施の形態に係る電子機器は、筐体と、基板と、第１の部材と、第２の部材と、係合部と、電子部品とを具備する。前記筐体は、開口部が設けられた壁部を有する。前記基板は、前記筐体に収容される。前記第１の部材は、少なくとも一部が前記壁部と前記基板との間に位置する。前記第２の部材は、前記開口部を覆うとともに前記第１の部材によって前記壁部に押圧され、少なくとも一部が変位可能である。前記係合部は、前記筐体に設けられ、前記第１の部材が前記壁部に向かって回動できるように前記第１の部材と係合する。前記電子部品は、前記基板に実装され、変位した前記第２の部材の一部によって押される。
【手続補正３】
【補正対象書類名】明細書
【補正対象項目名】０２１９
【補正方法】変更
【補正の内容】
【０２１９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の出願当初の特許請求の範囲の内容を付記する。
［１］底壁と、少なくとも一部が前記底壁と交差する方向に延びるとともに開口部が設けられた側壁と、を有した筐体と、
前記筐体の内部で前記底壁の少なくとも一部に面して配置された基板と、
少なくとも一部が前記側壁と前記基板との間に位置し、前記側壁に面するとともに挿通部が設けられた支持部材と、
前記開口部を覆うように前記側壁に接して前記側壁と前記支持部材との間に介在した接触部と、前記挿通部で弾性的に変位可能な変位部と、を有し、前記開口部を塞いだ浸水抑制部材と、
前記開口部に挿通されて前記変位部に接した操作部と、
前記筐体に設けられ、前記浸水抑制部材を前記側壁に押圧するように前記支持部材を固定した固定部と、
前記筐体に設けられ、前記支持部材が前記側壁と交差する方向に移動可能に前記支持部材に係った係部と、
前記基板に実装され、前記変位部に面するとともに弾性変形した前記変位部からの押圧を受けて操作される電子部品と、
を具備した電子機器。
［２］開口部が設けられた壁部を有した筐体と、
前記筐体に収容された基板と、
少なくとも一部が前記壁部と前記基板との間に位置し、前記壁部に面した第１の部材と、
前記開口部を覆うように前記壁部に接して前記壁部と前記第１の部材との間に介在し、前記開口部を塞ぐとともに少なくとも一部が弾性的に変位可能な第２の部材と、
前記筐体に設けられ、前記第２の部材を前記壁部に押圧するように前記第１の部材を固定した固定部と、
前記基板に実装され、弾性変形した前記第２の部材の一部からの押圧を受けて操作される電子部品と、
を具備した電子機器。
［３］前記基板が前記壁部と交差するように配置された［２］に記載の電子機器。
［４］前記開口部に挿通されて弾性的に変位可能な前記第２の部材の一部に面した第３の部材をさらに具備した［２］または［３］に記載の電子機器。
［５］前記第１の部材に、弾性的に変位可能な前記第２の部材の一部が入る挿通部が設けられ、
前記電子部品は、弾性的に変位可能な前記第２の部材の一部に面する［２］または［４］に記載の電子機器。
［６］前記固定部は、前記壁部から突出した基部と、前記基部から前記壁部に沿う方向に延びた爪部とをそれぞれ有した一対の嵌合部を有し、
前記第１の部材および前記第２の部材は、前記壁部と前記爪部との間に挟まれた［２］または［５］の電子機器。
［７］前記筐体に設けられ、前記第１の部材が前記壁部と交差する方向に移動可能に前記第１の部材と係合した係合部をさらに具備した［２］または［６］に記載の電子機器。
［８］前記第１の部材が、前記第２の部材に接する第１の部分と、前記第１の部分と交差するとともに前記係合部に係合される第２の部分と、を有した［７］に記載の電子機器。
［９］前記係合部は、前記筐体から突出した突出部を有し、
前記第１の部材は、前記第２の部分に前記突出部が挿通される孔が設けられ、該孔に挿通された突出部を軸に回動可能である［８］に記載の電子機器。
［１０］前記壁部に設けられた他の開口部を覆うように前記壁部に接して前記壁部と前記第１の部材との間に介在し、前記他の開口部を水密に塞ぐとともに少なくとも一部が弾性的に変位可能な第４の部材と、
前記基板に実装され、弾性変形した前記第４の部材の一部によって操作される他の電子部品と、
をさらに具備し、
前記固定部は、前記第２の部材と前記第４の部材とを前記壁部に押圧するように前記第１の部材を固定する［２］または［９］に記載の電子機器。
［１１］前記筐体は前記基板の少なくとも一部が面する底壁を有し、
前記壁部は前記底壁と交差するように設けられた［２］または［１０］に記載の電子機器。
［１２］開口部が設けられた壁部を有した筐体と、
前記筐体に収容された基板と、
少なくとも一部が前記壁部と前記基板との間に位置した第１の部材と、
前記開口部を覆うとともに前記第１の部材によって前記壁部に押圧され、少なくとも一部が変位可能な第２の部材と、
前記基板に実装され、変位した前記第２の部材の一部によって押される電子部品と、
を具備した電子機器。